(57)【要約】【課題】サスペンションに目標値のフリクションを発生させる制御の応答性を向上させることが可能な、車両挙動制御装置及び車両挙動制御方法を提供する。【解決手段】予め設定した複数の走行モードから、車両の運転者が選択した走行モードを検出し、車体の挙動を抑制するためのフリクション及び検出した走行モードに応じて、車両が備える摩擦ブレーキ、駆動用モータ及びエンジンのうち少なくとも一つを、挙動を抑制するためのフリクションをサスペンションに発生させるフリクション発生源として選択し、さらに、挙動を抑制するためのフリクションである目標フリクションをサスペンションに発生させるために必要な、車輪の制動力と車輪の駆動力との制駆動力配分比を算出し、算出した制駆動力配分比に応じて、制動力及び駆動力のうち少なくとも一方を車輪に付与する。【選択図】図２０
2014227046.tif 000002
【特許請求の範囲】
【請求項１】
車体と、複数の車輪と、前記車体と各車輪とを連結するサスペンションと、前記車輪の駆動源を形成する駆動用モータ及びエンジンと、を備える車両に対し、前記車体の挙動を制御する車両挙動制御装置であって、
前記挙動を抑制するためのフリクションを前記サスペンションに発生させるために必要な、前記車輪の制動力と車輪の駆動力との制駆動力配分比を算出する制駆動力配分比算出部と、
前記制駆動力配分比算出部が算出した前記車輪の制動力の配分比に基づくフリクションを前記サスペンションに発生させるための車輪に対する最終指令値として制動力指令値を算出する制動力指令値算出部と、
前記制駆動力配分比算出部が算出した前記車輪の駆動力の配分比に基づくフリクションを前記サスペンションに発生させるための車輪に対する最終指令値として駆動力指令値を算出する駆動力指令値算出部と、
前記制動力指令値算出部が算出した制動力指令値に基づいて、前記車輪に制動力を付与する制動力付与部と、
前記駆動力指令値算出部が算出した駆動力指令値に基づいて、前記車輪に駆動力を付与する駆動力付与部と、
前記車両の運転者が予め設定した複数の走行モードから選択した走行モードを検出する走行モード検出部と、を備え、
前記制駆動力配分比算出部は、前記挙動を抑制するためのフリクション及び前記走行モード検出部が検出した走行モードに応じて、前記車両が備える摩擦ブレーキ、前記駆動用モータ及び前記エンジンのうち少なくとも一つを、前記挙動を抑制するためのフリクションを前記サスペンションに発生させるフリクション発生源として選択し、さらに、前記制駆動力配分比を算出することを特徴とする車両挙動制御装置。
【請求項２】
前記複数の走行モードは、前記車両の走行性能よりも前記制動力及び前記駆動力に応じたエネルギー消費の効率を重視した燃費重視モードを含み、
前記制駆動力配分比算出部は、前記走行モード検出部が検出した走行モードが前記燃費重視モードであると、前記フリクション発生源として少なくとも前記駆動用モータを選択し、さらに、前記フリクション発生源として前記摩擦ブレーキ及び前記エンジンのうち少なくとも一方も選択した場合は、前記駆動用モータによる前記駆動力の配分比を他の配分比よりも大きくして前記制駆動力配分比を算出することを特徴とする請求項１に記載した車両挙動制御装置。
【請求項３】
前記複数の走行モードは、前記制動力及び前記駆動力に応じたエネルギー消費の効率よりも前記車両の走行性能を重視した性能重視モードを含み、
前記制駆動力配分比算出部は、前記走行モード検出部が検出した走行モードが前記性能重視モードであると、前記フリクション発生源として少なくとも前記駆動用モータを選択し、さらに、前記フリクション発生源として前記摩擦ブレーキ及び前記エンジンのうち少なくとも一方も選択した場合は、前記駆動用モータ以外の前記フリクション発生源により発生させるフリクションを駆動用モータにより発生させるフリクションで補正するように前記制駆動力配分比を算出することを特徴とする請求項１または請求項２に記載した車両挙動制御装置。
【請求項４】
前記車輪の制動力を算出する制動力算出部と、
前記制動力算出部が算出した制動力に基づいて前記サスペンションに発生するフリクションである制動力フリクションを算出する制動力フリクション算出部と、
前記車輪の駆動力を算出する駆動力算出部と、
前記駆動力算出部が算出した駆動力に基づいて前記サスペンションに発生するフリクションである駆動力フリクションを算出する駆動力フリクション算出部と、
前記制動力フリクション算出部が算出した制動力フリクションと、前記駆動力フリクション算出部が算出した駆動力フリクションと、を合算して、前記サスペンションに発生するフリクションである総フリクションを、各サスペンションに対して個別に算出する総フリクション算出部と、を備えることを特徴とする請求項１から請求項３のうちいずれか１項に記載した車両挙動制御装置。
【請求項５】
前記サスペンションのストローク位置を算出するストローク位置算出部と、
前記ストローク位置算出部が算出したストローク位置に基づいて前記サスペンションに発生するフリクションであるストローク位置フリクションを算出するストローク位置フリクション算出部と、を備え、
前記総フリクション算出部は、前記制動力フリクション算出部が算出した制動力フリクション及び前記駆動力フリクション算出部が算出した駆動力フリクションに、前記ストローク位置フリクション算出部が算出したストローク位置フリクションを合算して、前記総フリクションを各サスペンションに対して個別に算出することを特徴とする請求項４に記載した車両挙動制御装置。
【請求項６】
前記サスペンションのストローク速度を算出するストローク速度算出部と、
前記ストローク速度算出部が算出したストローク速度に基づいて前記サスペンションに発生するフリクションであるストローク速度フリクションを算出するストローク速度フリクション算出部と、を備え、
前記総フリクション算出部は、前記制動力フリクション算出部が算出した制動力フリクション及び前記駆動力フリクション算出部が算出した駆動力フリクションに、前記ストローク速度フリクション算出部が算出したストローク速度フリクションを合算して、前記総フリクションを各サスペンションに対して個別に算出することを特徴とする請求項４または５に記載した車両挙動制御装置。
【請求項７】
前記サスペンションの横力を算出するサスペンション横力算出部と、
前記サスペンション横力算出部が算出した横力に基づいて前記サスペンションに発生するフリクションである横力フリクションを算出するサスペンション横力フリクション算出部と、を備え、
前記総フリクション算出部は、前記制動力フリクション算出部が算出した制動力フリクション及び前記駆動力フリクション算出部が算出した駆動力フリクションに、前記サスペンション横力フリクション算出部が算出した横力フリクションを合算して、前記総フリクションを各サスペンションに対して個別に算出することを特徴とする請求項４から請求項６のうちいずれか１項に記載した車両挙動制御装置。
【請求項８】
前記制動力算出部は、前記車両の走行制御に基づく前記車輪の制動力を算出し、
前記駆動力算出部は、前記車両の走行制御に基づく前記車輪の駆動力を算出することを特徴とする請求項４から請求項７のうちいずれか１項に記載した車両挙動制御装置。
【請求項９】
前記制動力付与部は、前記車両の運転者による制動力要求の制御に応じた制動力及び車両のシステム制御に応じた制動力に、前記制動力指令値算出部が算出した制動力指令値に基づく制動力を合算して、前記車輪に制動力を付与することを特徴とする請求項１から請求項８のうちいずれか１項に記載した車両挙動制御装置。
【請求項１０】
前記駆動力付与部は、前記車両の運転者による駆動力要求の制御に応じた駆動力及び車両のシステム制御に応じた駆動力に、前記駆動力指令値算出部が算出した駆動力指令値に基づく駆動力を合算して、前記車輪に駆動力を付与することを特徴とする請求項１から請求項９のうちいずれか１項に記載した車両挙動制御装置。
【請求項１１】
車体と、複数の車輪と、前記車体と各車輪とを連結するサスペンションと、前記車輪の駆動源を形成する駆動用モータ及びエンジンと、を備える車両に対し、前記車体の挙動を制御する車両挙動制御方法であって、
前記車両の運転者が予め設定した複数の走行モードから選択した走行モードを検出し、
前記挙動を抑制するためのフリクション及び前記検出した走行モードに応じて、前記車両が備える摩擦ブレーキ、前記駆動用モータ及び前記エンジンのうち少なくとも一つを、前記挙動を抑制するためのフリクションを前記サスペンションに発生させるフリクション発生源として選択し、さらに、前記挙動を抑制するためのフリクションを前記サスペンションに発生させるために必要な、前記車輪の制動力と車輪の駆動力との制駆動力配分比を算出し、
前記算出した前記車輪の制動力の配分比に基づくフリクションを前記サスペンションに発生させるための車輪に対する最終指令値として制動力指令値を算出し、当該算出した制動力指令値に基づいて前記車輪に制動力を付与し、
前記算出した前記車輪の駆動力の配分比に基づくフリクションを前記サスペンションに発生させるための車輪に対する最終指令値として駆動力指令値を算出し、当該算出した駆動力指令値に基づいて前記車輪に駆動力を付与することを特徴とする車両挙動制御方法。
【発明の詳細な説明】
【技術分野】
【０００１】
本発明は、サスペンションに発生するフリクションを用い、走行路面の状態に応じて車両の上屋挙動を制御する車両挙動制御装置及び車両挙動制御方法に関する。
【背景技術】
【０００２】
従来、車両の上屋挙動（車体の挙動）を制御する技術として、例えば、特許文献１に記載されている技術がある。
特許文献１に記載されている技術では、車両に作用する横力に基づいて、サスペンションに発生するフリクションを検出する。そして、車体の挙動を抑制するための抑制目標値から、検出したフリクションを減算して、車体の挙動を抑制するためにサスペンションで発生させるフリクションの目標値を算出する。
【先行技術文献】
【特許文献】
【０００３】
【特許文献１】特開２０１０−１３７７９６号公報
【発明の概要】
【発明が解決しようとする課題】
【０００４】
しかしながら、特許文献１に記載されている技術では、サスペンションに目標値のフリクションを発生させる制御を、制動力の増加によりサスペンションの減衰力を増加させて行なう。このため、算出した目標値のフリクションをサスペンションで発生させるために、摩擦ブレーキのみを用いることとなり、サスペンションに目標値のフリクションを発生させる制御の応答性が制限されるという問題が発生するおそれがある。
本発明は、上記のような問題点に着目してなされたもので、サスペンションに目標値のフリクションを発生させる制御の応答性を向上させることが可能な、車両挙動制御装置及び車両挙動制御方法を提供することを目的とする。
【課題を解決するための手段】
【０００５】
上記課題を解決するために、本発明は、車両の運転者が予め設定した複数の走行モードから選択した走行モードと、車体の挙動を抑制するためのフリクションに応じて、フリクション発生源の選択と制駆動力配分比の算出を行なう。さらに、算出した制駆動力配分比に応じ、車輪に制動力及び駆動力のうち少なくとも一方を付与する。
ここで、制駆動力配分比は、車体の挙動を抑制するためのフリクションを車体と各車輪とを連結するサスペンションに発生させるために必要な、車輪の制動力と車輪の駆動力との配分比である。また、フリクション発生源としては、車両が備える摩擦ブレーキ、車輪の駆動源を形成する駆動用モータ及びエンジンのうち少なくとも一つを選択する。
【発明の効果】
【０００６】
本発明によれば、運転者が選択した走行モードと、車体の挙動を抑制するためのフリクションに応じて、摩擦ブレーキ、駆動用モータ及びエンジンの中から、車体の挙動を抑制するためのフリクションの発生源を選択することが可能となる。
これにより、車体の挙動を抑制するためのフリクションの発生源が、摩擦ブレーキ及びエンジンよりも応答性の高い駆動用モータを含む場合に、サスペンションに目標値のフリクションを発生させる制御の応答性を向上させることが可能となる。
【図面の簡単な説明】
【０００７】
【図１】本発明の第一実施形態の車両挙動制御装置を備える車両の概略構成を示すブロック図である。
【図２】ブレーキアクチュエータの構成を示すブロック図である。
【図３】フリクション検出ブロックの概略構成を示すブロック図である。
【図４】制動力算出部の概略構成を示すブロック図である。
【図５】駆動力算出部の概略構成を示すブロック図である。
【図６】サスペンション状態算出部の概略構成を示すブロック図である。
【図７】サスペンション横力算出部の概略構成を示すブロック図である。
【図８】制動力フリクション算出マップを示す図である。
【図９】駆動力フリクション算出マップを示す図である。
【図１０】ストローク位置フリクション算出マップを示す図である。
【図１１】ストローク速度フリクション算出マップを示す図である。
【図１２】横力フリクション算出マップを示す図である。
【図１３】乗り心地制御ブロックの概略構成を示すブロック図である。
【図１４】操縦安定性制御ブロックの概略構成を示すブロック図である。
【図１５】制駆動力配分比の算出に用いる制御テーブルを示す図である。
【図１６】制動力側挙動制御用フリクション算出マップを示す図である。
【図１７】駆動力側挙動制御用フリクション算出マップを示す図である。
【図１８】指令液圧換算マップを示す図である。
【図１９】駆動トルク補正値換算マップを示す図である。
【図２０】車両挙動制御装置を用いて行なう動作のフローチャートである。
【図２１】車両挙動制御装置を用いて行なう動作のフローチャートであり、制駆動力配分比を算出する処理を示すフローチャートである。
【図２２】車両挙動制御装置を用いて行なう動作のフローチャートであり、抑制制御モードを設定する処理を示すフローチャートである。
【図２３】車両の走行中において、車両挙動制御装置が行なう処理を示すタイムチャートである。
【発明を実施するための形態】
【０００８】
以下、本発明の実施形態について、図面を参照しつつ説明する。
（第一実施形態）
以下、本発明の第一実施形態（以下、本実施形態と記載する）について、図面を参照しつつ説明する。
（構成）
図１は、本実施形態の車両挙動制御装置１を備える車両Ｖの概略構成を示すブロック図である。
図１中に示すように、車両挙動制御装置１を備える車両Ｖは、Ｇセンサ２と、ヨーレートセンサ４と、操舵角センサ６と、ドライバブレーキ液圧センサ８と、アクセル開度センサ１０を備える。これに加え、車両Ｖは、シフトポジションセンサ１２と、ストロークセンサ１４と、走行支援モードスイッチ１６と、走行モード選択スイッチ１７と、車輪速センサ１８と、制駆動力コントローラ２０と、ブレーキペダル２２と、マスタシリンダ２４を備える。さらに、車両Ｖは、ブレーキアクチュエータ２６と、動力コントロールユニット２８と、動力ユニット３０と、ホイールシリンダ３２と、車輪Ｗ（右前輪ＷＦＲ、左前輪ＷＦＬ、右後輪ＷＲＲ、左後輪ＷＲＬ）と、サスペンションＳＰを備える。
【０００９】
Ｇセンサ２は、バネ上上下加速度センサの機能を有するブロックと、バネ下上下加速度センサの機能を有するブロックと、横加速度センサの機能を有するブロックと、前後加速度センサの機能を有するブロックを備える。
バネ上上下加速度センサの機能を有するブロックは、車両Ｖに対し、車体のバネ上部分における上下方向への加速度を検出する。そして、検出した加速度を含む情報信号（以降の説明では、「バネ上上下加速度信号」と記載する場合がある）を、制駆動力コントローラ２０へ出力する。
【００１０】
バネ下上下加速度センサの機能を有するブロックは、車両Ｖに対し、車体のバネ下部分における上下方向への加速度を検出する。そして、検出した加速度を含む情報信号（以降の説明では、「バネ下上下加速度信号」と記載する場合がある）を、制駆動力コントローラ２０へ出力する。
横加速度センサの機能を有するブロックは、車両Ｖに対し、車体の横方向（車幅方向）への加速度（以降の説明では、「実測横加速度」と記載する場合がある）を検出する。そして、検出した実測横加速度を含む情報信号（以降の説明では、「実測横加速度信号」と記載する場合がある）を、制駆動力コントローラ２０へ出力する。
【００１１】
前後加速度センサの機能を有するブロックは、車両Ｖに対し、車体の前後方向（車両前後方向）への加速度を検出する。そして、検出した加速度を含む情報信号（以降の説明では、「前後加速度信号」と記載する場合がある）を、制駆動力コントローラ２０へ出力する。
ヨーレートセンサ４は、車両Ｖのヨーレート（車体が旋回する方向への回転角の変化速度）を検出し、検出したヨーレートを含む情報信号（以降の説明では、「ヨーレート信号」と記載する場合がある）を、制駆動力コントローラ２０へ出力する。
【００１２】
操舵角センサ６は、例えば、図示しない操舵操作子（例えば、ステアリングホール）を回転可能に支持するステアリングコラム（図示せず）に設ける。
また、操舵角センサ６は、中立位置を基準とした操舵操作子の現在の回転角度（操舵操作量）である、現在操舵角を検出する。そして、操舵角センサ６は、検出した現在操舵角を含む情報信号（以降の説明では、「現在操舵角信号」と記載する場合がある）を、制駆動力コントローラ２０へ出力する。
【００１３】
ドライバブレーキ液圧センサ８は、マスタシリンダ２４で発生する液圧（ブレーキ液圧）のうち、運転者によるブレーキペダル２２の踏込み操作により発生する液圧（ドライバブレーキ液圧）を検出する。そして、検出したドライバブレーキ液圧を含む情報信号（以降の説明では、「ドライバブレーキ液圧信号」と記載する場合がある）を、制駆動力コントローラ２０へ出力する。
アクセル開度センサ１０は、図示しないアクセルペダルの開度を検出し、検出した開度を含む情報信号（以降の説明では、「アクセル開度信号」と記載する場合がある）を、制駆動力コントローラ２０へ出力する。
【００１４】
シフトポジションセンサ１２は、シフトノブやシフトレバー等、車両Ｖのギヤ位置（例えば、「Ｐ」、「Ｄ」、「Ｒ」等）を変更する部材の位置を検出する。そして、検出した位置を含む情報信号（以降の説明では、「ギヤ位置信号」と記載する場合がある）を、制駆動力コントローラ２０へ出力する。
ストロークセンサ１４は、サスペンションＳＰの実測ストローク量（実測変位量）を検出し、検出した実測ストローク量を含む情報信号（以降の説明では、「実測ストローク量信号」と記載する場合がある）を、制駆動力コントローラ２０へ出力する。なお、ストロークセンサ１４は、各車輪Ｗに対して設置したサスペンションＳＰの実測ストローク量を、それぞれ個別に検出して、実測ストローク量信号を生成する。
【００１５】
走行支援モードスイッチ１６は、ＶＤＣの制御及びＴＣＳの制御の「ＯＮ」または「ＯＦＦ」を、運転者の操作により、それぞれ、個別に切り替えるスイッチである。また、走行支援モードスイッチ１６は、ＶＤＣの制御及びＴＣＳの制御が「ＯＮ」または「ＯＦＦ」である状態を含む情報信号（以降の説明では、「走行支援モード状態信号」と記載する場合がある）を、制駆動力コントローラ２０へ出力する。なお、ＶＤＣとは、「Ｖｅｈｉｃｌｅ  Ｄｙｎａｍｉｃｓ  Ｃｏｎｔｒｏｌ」の略称であり、ＴＣＳとは、「Ｔｒａｃｔｉｏｎ  Ｃｏｎｔｒｏｌ  Ｓｙｓｔｅｍ」の略称である。
【００１６】
走行モード選択スイッチ１７は、複数の走行モードを、運転者の操作により選択するスイッチである。また、走行モード選択スイッチ１７は、運転者の操作により選択した走行モードを含む情報信号（以降の説明では、「走行モード選択信号」と記載する場合がある）を、制駆動力コントローラ２０へ出力する。
ここで、複数の走行モードには、例えば、通常のモードである「通常：ＳＴＡＮＤＡＲＤ」モードと、走行性能よりもエネルギー効率を重視したモードである「燃費重視：ＥＣＯ」モードがある。これに加え、複数の走行モードには、例えば、エネルギー効率よりも走行性能を重視したモードである「性能重視：ＳＰＯＲＴ」モードと、積雪路等の低μ路面の走行に適したモードである「雪道：ＳＮＯＷ」モードがある。
【００１７】
なお、上記の走行性能とは、車両Ｖの走行性能であり、例えば、運転者による駆動力増加要求や制動力増加要求に対する応答性能である。また、上記のエネルギー効率とは、車輪Ｗの制動力及び車輪Ｗの駆動力に応じたエネルギー消費の効率である。具体的には、例えば、車輪Ｗに付与する制動力により摩擦熱として消費されるエネルギーを減少させるための効率や、後述するエンジンが消費する燃料を減少させるための効率である。
【００１８】
本実施形態では、一例として、走行モード選択スイッチ１７により選択可能な複数の走行モードを、上述した「通常モード」と、「燃費重視モード」と、「性能重視モード」の三種類とした場合について説明する。
車輪速センサ１８は、車輪Ｗの回転速度を検出し、検出した回転速度を含む情報信号（以降の説明では、「車輪速信号」と記載する場合がある）を、制駆動力コントローラ２０へ出力する。
【００１９】
なお、図１中では、右前輪ＷＦＲの回転速度を検出する車輪速センサ１８を、車輪速センサ１８ＦＲと示し、左前輪ＷＦＬの回転速度を検出する車輪速センサ１８を、車輪速センサ１８ＦＬと示す。同様に、図１中では、右後輪ＷＲＲの回転速度を検出する車輪速センサ１８を、車輪速センサ１８ＲＲと示し、左後輪ＷＲＬの回転速度を検出する車輪速センサ１８を、車輪速センサ１８ＲＬと示す。また、以降の説明においても、各車輪Ｗや各車輪速センサ１８を、上記のように示す場合がある。
制駆動力コントローラ２０は、車両Ｖ全体を制御するものであり、マイクロコンピュータで構成する。なお、マイクロコンピュータは、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備えた構成である。
【００２０】
また、制駆動力コントローラ２０は、入力される各種の情報信号に基づいて後述する各種の処理を行い、ブレーキアクチュエータ２６及び動力ユニット３０を制御するための指示信号（制動力指令値、駆動力指令値）を出力する。
また、制駆動力コントローラ２０は、フリクション検出ブロック３４と、乗り心地制御ブロック３６と、操縦安定性制御ブロック３８を備える。なお、フリクション検出ブロック３４、乗り心地制御ブロック３６、操縦安定性制御ブロック３８の構成については、後述する。
【００２１】
ブレーキペダル２２は、車両Ｖの運転者が制動操作を行う際に踏込むペダルであり、運転者によるペダル踏力を、マスタシリンダ２４に伝達する。
マスタシリンダ２４は、運転者のペダル踏力に応じて、二系統の液圧を生成する（タンデム式）。なお、本実施形態では、一例として、マスタシリンダ２４が、プライマリ側を左前輪・右後輪のホイールシリンダ３２に伝達し、セカンダリ側を右前輪・左後輪のホイールシリンダ３２に伝達する方式（ダイアゴナルスプリット方式）を用いる場合を説明する。
【００２２】
ブレーキアクチュエータ２６は、マスタシリンダ２４と各ホイールシリンダ３２との間に介装した液圧制御装置である。また、ブレーキアクチュエータ２６は、制駆動力コントローラ２０から入力を受けた制動指令信号に応じて、各ホイールシリンダ３２の油圧を変化させ、各車輪Ｗに制動力を付与する。なお、ブレーキアクチュエータ２６の具体的な構成については、後述する。
また、ブレーキアクチュエータ２６は、ＡＢＳ制御が作動しているか否かを示すフラグ情報信号（以降の説明では、「ＡＢＳ作動フラグ信号」と記載する場合がある）を、制駆動力コントローラ２０へ出力する。なお、ＡＢＳとは、「Ａｎｔｉｌｏｃｋｅｄ  Ｂｒａｋｉｎｇ  Ｓｙｓｔｅｍ」の略称である。
【００２３】
また、ブレーキアクチュエータ２６は、車両Ｖが備えるシステムにより車輪Ｗに加わるブレーキ液圧の指令値を含む情報信号（以降の説明では、「付加機能ブレーキ液圧信号」と記載する場合がある）を、制駆動力コントローラ２０へ出力する。
なお、車両Ｖが備えるシステムとは、例えば、先行車追従走行制御を行なうシステムであり、車両Ｖと先行車との車間距離を、車両Ｖの車速に応じた距離に制御するためのシステムである。
【００２４】
また、ブレーキアクチュエータ２６は、上述したＶＤＣ制御により車輪Ｗに加わるブレーキ液圧の指令値を含む情報信号（図中では、「ＶＤＣ液圧信号」と示す）を、制駆動力コントローラ２０へ出力する。
動力コントロールユニット２８は、制駆動力コントローラ２０から入力を受けた駆動指令信号に応じて、動力ユニット３０が発生させる駆動力を制御する。
【００２５】
なお、本実施形態では、後述するように、動力ユニット３０を、駆動用モータ及びエンジンを用いて形成する。このため、動力コントロールユニット２８は、駆動用モータが発生させる駆動力に関する値（例えば、モータ駆動トルク、モータ回転数）を制御する。これに加え、動力コントロールユニット２８は、エンジンが発生させる駆動力に関する値（例えば、エンジン駆動トルク、エンジン回転数、トランスミッションのギヤ比）を制御する。
また、動力コントロールユニット２８は、上述したＴＣＳ制御が作動しているか否かを示すフラグ情報信号（以降の説明では、「ＴＣＳ作動フラグ信号」と記載する場合がある）を、制駆動力コントローラ２０へ出力する。
【００２６】
また、動力コントロールユニット２８は、前輪に対するトルクの制御値（トルクコントロール値）を含む情報信号（以降の説明では、「トルクコントロール信号」と記載する場合がある）を、制駆動力コントローラ２０へ出力する。
なお、前輪に対するトルクの制御値とは、例えば、右前輪ＷＦＲと左前輪ＷＦＬに対し、動力ユニット３０（駆動用モータ及びエンジンのうち少なくとも一方）が発生させているトルクを配分する比率である。また、前輪に対するトルクの制御値とは、例えば、上述したＶＤＣ制御により車輪Ｗに加わるトルクである。
【００２７】
また、動力コントロールユニット２８は、動力ユニット３０が発生させている現在のトルクを含む情報信号（以降の説明では、「現在トルク信号」と記載する場合がある）を、制駆動力コントローラ２０へ出力する。
動力ユニット３０は、車両Ｖの駆動力を発生させる構成であり、駆動用モータ３０Ａと、エンジン３０Ｂを備える。すなわち、本実施形態の車両挙動制御装置１を備える車両Ｖは、車輪Ｗの駆動源を駆動用モータ３０Ａ及びエンジン３０Ｂにより形成する、ハイブリッド（ＨＥＶ：Ｈｙｂｒｉｄ  Ｅｌｅｃｔｒｉｃ  Ｖｅｈｉｃｌｅ）車両である。
【００２８】
また、動力ユニット３０は、駆動用モータ３０Ａが発生させる駆動力及びエンジン３０Ｂが発生させる駆動力のうち少なくとも一方を、ドライブシャフト（図示せず）等を介して、車輪Ｗに付与する。
駆動用モータ３０Ａは、例えば、ロータに永久磁石を埋設し、ステータにステータコイルを巻き付けた同期型モータを用いて形成する。また、駆動用モータ３０Ａは、動力コントロールユニット２８から入力を受けた制御指令に基づき、インバータ（図示せず）で作り出した三相交流を印加することで制御可能である。さらに、駆動用モータ３０Ａは、バッテリ（図示せず）からの電力の供給を受けて回転駆動する電動機として動作することも可能である（この状態を「力行」と呼ぶ）。
【００２９】
エンジン３０Ｂは、例えば、ガソリンエンジンやディーゼルエンジン等の内燃機関（Ｉｎｔｅｒｎａｌ‐Ｃｏｍｂｕｓｔｉｏｎ  Ｅｎｇｉｎｅ）を用いて形成する。
ホイールシリンダ３２は、ディスクブレーキを構成するブレーキパッド（図示せず）を、各車輪Ｗと一体に回転するディスクロータ（図示せず）に押し付けるための押圧力を発生する。
【００３０】
なお、図１中では、右前輪ＷＦＲに対して配置したホイールシリンダ３２を、ホイールシリンダ３２ＦＲと示し、左前輪ＷＦＬに対して配置したホイールシリンダ３２を、ホイールシリンダ３２ＦＬと示す。同様に、図１中では、右後輪ＷＲＲに対して配置したホイールシリンダ３２を、ホイールシリンダ３２ＲＲと示し、左後輪ＷＲＬに対して配置したホイールシリンダ３２を、ホイールシリンダ３２ＲＬと示す。また、以降の説明においても、各ホイールシリンダ３２を、上記のように示す場合がある。
サスペンションＳＰ（サスペンション装置）は、各車輪Ｗと車両Ｖの車体との間に設置した懸架装置である。
【００３１】
また、サスペンションＳＰは、具体的に、車体と各車輪Ｗ側の部材とを連結するリンク部材と、各車輪Ｗと車体との相対運動を緩衝させるバネと、各車輪Ｗと車体との相対運動を減衰させるショックアブソーバを有する。
なお、図１中では、右前輪ＷＦＲに対して設置したサスペンションＳＰを、サスペンションＳＰＦＲと示し、左前輪ＷＦＬに対して設置したサスペンションＳＰを、サスペンションＳＰＦＬと示す。同様に、図１中では、右後輪ＷＲＲに対して設置したサスペンションＳＰを、サスペンションＳＰＲＲと示し、左後輪ＷＲＬに対して設置したサスペンションＳＰを、サスペンションＳＰＲＬと示す。また、以降の説明においても、各サスペンションＳＰを、上記のように示す場合がある。
【００３２】
（ブレーキアクチュエータの構成）
次に、図１を参照しつつ、図２を用いて、ブレーキアクチュエータ２６の構成を説明する。
図２は、ブレーキアクチュエータ２６の構成を示すブロック図である。
ブレーキアクチュエータ２６は、上述したＡＢＳ制御、ＴＣＳ制御、ＶＤＣ制御等に用いる制動流体圧制御回路を用いて形成する。
また、ブレーキアクチュエータ２６は、運転者のブレーキ操作に係らず、各ホイールシリンダ３２ＦＲ、３２ＦＬ、３２ＲＲ、３２ＲＬの液圧を、増圧・保持・減圧可能に形成する。
【００３３】
また、ブレーキアクチュエータ２６は、Ｐ（プライマリ）系統とＳ（セカンダリ）系統との二系統を有しており、いわゆる、Ｘ配管と呼ばれる配管構造である。なお、図２中及び以降の説明では、Ｐ系統を「プライマリ側」と記載し、Ｓ系統を「セカンダリ側」と記載する場合がある。
プライマリ側は、第一ゲートバルブ１２２Ａと、インレットバルブ１２４ＦＬと、インレットバルブ１２４ＲＲと、アキュムレータ１２６Ａを備えている。これに加え、プライマリ側は、アウトレットバルブ１２８ＦＬと、アウトレットバルブ１２８ＲＲと、第二ゲートバルブ１３０Ａと、ポンプ１３２と、ダンパー室１３４Ａを備えている。
【００３４】
第一ゲートバルブ１２２Ａは、マスタシリンダ２４とホイールシリンダ３２ＦＬ及びホイールシリンダ３２ＲＲとの間の流路を閉鎖可能な、ノーマルオープン型のバルブである。
インレットバルブ１２４ＦＬは、第一ゲートバルブ１２２Ａとホイールシリンダ３２ＦＬとの間の流路を閉鎖可能な、ノーマルオープン型のバルブである。
インレットバルブ１２４ＲＲは、第一ゲートバルブ１２２Ａとホイールシリンダ３２ＲＲとの間の流路を閉鎖可能な、ノーマルオープン型のバルブである。
【００３５】
アキュムレータ１２６Ａは、シリンダのピストンに圧縮バネを対向させたバネ形のアキュムレータであり、ホイールシリンダ３２ＦＬ及びホイールシリンダ３２ＲＲとインレットバルブ１２４ＦＬ及びインレットバルブ１２４ＲＲとの間を連通している。
アウトレットバルブ１２８ＦＬは、ホイールシリンダ３２ＦＬとアキュムレータ１２６との間の流路を開放可能な、ノーマルクローズ型のバルブである。
アウトレットバルブ１２８ＲＲは、ホイールシリンダ３２ＲＲとアキュムレータ１２６との間の流路を開放可能な、ノーマルクローズ型のバルブである。
【００３６】
第二ゲートバルブ１３０Ａは、マスタシリンダ２４と第一ゲートバルブ１２２Ａとの間と、アキュムレータ１２６とアウトレットバルブ１２８ＦＬ及びアウトレットバルブ１２８ＲＲとの間と、を連通した流路を開放可能な、ノーマルクローズ型のバルブである。
ポンプ１３２は、負荷圧力に係りなく略一定の吐出量を確保可能な、歯車ポンプ、ピストンポンプ等、容積形のポンプを用いて形成する。
【００３７】
また、ポンプ１３２は、アキュムレータ１２６とアウトレットバルブ１２８ＦＬ及びアウトレットバルブ１２８ＲＲとの間に、吸入側を連通している。また、ポンプ１３２は、第一ゲートバルブ１２２Ａとインレットバルブ１２４ＦＬ及びインレットバルブ１２４ＲＲとの間に、吐出側を連通している。
ダンパー室１３４Ａは、ポンプ１３２の吐出側に配設されており、ポンプ１３２から吐出されたブレーキ液の脈動を抑制して、ペダル振動を低減させる。
【００３８】
セカンダリ側は、第一ゲートバルブ１２２Ｂと、インレットバルブ１２４ＦＲと、インレットバルブ１２４ＲＬと、アキュムレータ１２６Ｂを備えている。これに加え、セカンダリ側は、アウトレットバルブ１２８ＦＲと、アウトレットバルブ１２８ＲＬと、第二ゲートバルブ１３０Ｂと、ポンプ１３２と、ダンパー室１３４Ｂを備えている。すなわち、プライマリ側とセカンダリ側は、ポンプ１３２を共有している。また、セカンダリ側が備える各種の構成は、プライマリ側が備える構成と対応する。
【００３９】
各第一ゲートバルブ１２２、各インレットバルブ１２４、各アウトレットバルブ１２８、各第二ゲートバルブ１３０は、それぞれ、２ポート２ポジション切換・シングルソレノイド・スプリングオフセット式の電磁操作弁である。
また、各第一ゲートバルブ１２２及び各インレットバルブ１２４は、非励磁のノーマル位置で流路を開放し、各アウトレットバルブ１２８及び各第二ゲートバルブ１３０は、非励磁のノーマル位置で流路を閉鎖するように形成する。
【００４０】
以上の構成により、プライマリ側を例に説明すると、マスタシリンダ２４からの液圧が、ダイレクトにホイールシリンダ３２ＦＬ及び３２ＲＲに伝達されて、通常ブレーキとなる。これは、第一ゲートバルブ１２２Ａ、インレットバルブ１２４ＦＬ及び１２４ＲＲ）、アウトレットバルブ１２８ＦＬ及び１２８ＲＲ、第二ゲートバルブ１３０Ａが全て非励磁のノーマル位置である状態で発生する。
【００４１】
また、ブレーキペダルが非操作状態であっても、マスタシリンダ２４内のブレーキ液を、第二ゲートバルブ１３０Ａを介して吸入する。さらに、吐出される液圧を、インレットバルブ１２４ＦＬ及び１２４ＲＲを介して、ホイールシリンダ３２ＦＬ及び３２ＲＲに伝達して、増圧させることが可能である。これは、インレットバルブ１２４ＦＬ及び１２４ＲＲと、アウトレットバルブ１２８ＦＬ及び１２８ＲＲを非励磁のノーマル位置にしたまま、第一ゲートバルブ１２２Ａを励磁して閉鎖する。これに加え、第二ゲートバルブ１３０Ａを励磁して開放し、更にポンプ１３２を駆動することで可能となる。
【００４２】
また、ホイールシリンダ３２ＦＬ及び３２ＲＲから、マスタシリンダ２４及びアキュムレータ１２６へのそれぞれの流路を遮断して、ホイールシリンダ３２ＦＬ及び３２ＲＲの液圧を保持することが可能となる。これは、第一ゲートバルブ１２２Ａと、アウトレットバルブ１２８ＦＬ及び１２８ＲＲと、第二ゲートバルブ１３０Ａが非励磁のノーマル位置にあるときに、インレットバルブ１２４ＦＬ及び１２４ＲＲを励磁して閉鎖すると可能である。
【００４３】
さらに、ホイールシリンダ３２ＦＬ及び３２ＲＲの液圧をアキュムレータ１２６に流入させて減圧させることが可能となる。これは、第一ゲートバルブ１２２Ａ及び第二ゲートバルブ１３０Ａが非励磁のノーマル位置にあるときに、インレットバルブ１２４ＦＬ及び１２４ＲＲを励磁して閉鎖すると共に、アウトレットバルブ１２８ＦＬ及び１２８ＲＲを励磁して開放すると可能となる。
そして、アキュムレータ１２６に流入した液圧は、ポンプ１３２によって吸入され、マスタシリンダ２４に戻される。
【００４４】
なお、セカンダリ側に関しても、通常ブレーキ・増圧・保持・減圧の動作は、上述したプライマリ側の動作と同様であるため、その説明は省略する。
したがって、制駆動力コントローラ２０は、各第一ゲートバルブ１２２、各インレットバルブ１２４、各アウトレットバルブ１２８、各第二ゲートバルブ１３０、ポンプ１３２を駆動制御して、各ホイールシリンダ３２の液圧を、増圧・保持・減圧する。
【００４５】
（フリクション検出ブロック３４の構成）
次に、図１及び図２を参照しつつ、図３から図１２を用いて、フリクション検出ブロック３４の構成を説明する。
図３は、フリクション検出ブロック３４の概略構成を示すブロック図である。
図３中に示すように、フリクション検出ブロック３４は、制動力算出部４０と、駆動力算出部４２と、サスペンション状態算出部４４と、サスペンション横力算出部４６を備える。これに加え、フリクション検出ブロック３４は、制動力フリクション算出部４８と、駆動力フリクション算出部５０と、サスペンション状態フリクション算出部５２と、横力フリクション算出部５４と、総フリクション算出部５６を備える。
【００４６】
図４は、制動力算出部４０の概略構成を示すブロック図である。
図４中に示すように、制動力算出部４０は、ブレーキ液圧合算部５８と、ブレーキ液圧値選択部６０と、車輪制動力算出部６２を備える。
ここで、ブレーキ液圧合算部５８、ブレーキ液圧値選択部６０及び車輪制動力算出部６２で行なう処理は、各車輪Ｗ（右前輪ＷＦＲ、左前輪ＷＦＬ、右後輪ＷＲＲ、左後輪ＷＲＬ）に対して個別に行なう。
【００４７】
ブレーキ液圧合算部５８は、ドライバブレーキ液圧センサ８から、ドライバブレーキ液圧信号（図中では、「ドライバブレーキ液圧」と示す）の入力を受ける。また、ブレーキ液圧合算部５８は、ブレーキアクチュエータ２６から、付加機能ブレーキ液圧信号（図中では、「付加機能ブレーキ液圧」と示す）と、ＶＤＣ液圧信号（図中では、「ＶＤＣ液圧」と示す）の入力を受ける。
そして、ブレーキ液圧合算部５８は、入力を受けたドライバブレーキ液圧信号が含む液圧と、付加機能ブレーキ液圧信号及びＶＤＣ液圧信号が含む指令値に応じた液圧を合算する。そして、合算した液圧を含む情報信号（以降の説明では、「液圧合算値信号」と記載する場合がある）を、ブレーキ液圧値選択部６０へ出力する。
【００４８】
なお、ＶＤＣ液圧信号が含む指令値に応じた液圧を他の液圧に合算する際には、例えば、走行支援モードスイッチ１６が出力した走行支援モード状態信号を参照する。そして、ＶＤＣの制御が「ＯＮ」である状態が走行支援モード状態信号に含まれている場合のみ、ＶＤＣ液圧信号が含む指令値に応じた液圧を他の液圧に合算する処理を行ってもよい。
【００４９】
ブレーキ液圧値選択部６０は、例えば、マルチプレクサ（ｍｕｌｔｉｐｌｅｘｅｒ）回路を用いて形成する。また、ブレーキ液圧値選択部６０は、ブレーキアクチュエータ２６から、ＡＢＳ作動フラグ信号（図中では、「ＡＢＳ作動フラグ」と示す）の入力を受ける。また、ブレーキ液圧値選択部６０は、ブレーキ液圧合算部５８から、液圧合算値信号の入力を受ける。また、ブレーキ液圧値選択部６０は、予め記憶しているブレーキ液圧が「０」である場合の液圧値を示す情報信号（図中では、「液圧ゼロ」と示す）の入力を受ける。
【００５０】
そして、ＡＢＳ作動フラグ信号が、ＡＢＳ制御が作動している（「ＯＮ」）フラグ情報信号である場合、ブレーキ液圧が「０」である場合の液圧値を示す情報信号を選択する。一方、ＡＢＳ作動フラグ信号が、ＡＢＳ制御が作動していない（「ＯＦＦ」）フラグ情報信号である場合、液圧合算値信号を選択する。さらに、選択した信号を、現在のブレーキ液圧を示す情報信号（以降の説明では、「現在液圧信号」と記載する場合がある）として、車輪制動力算出部６２へ出力する。
【００５１】
車輪制動力算出部６２は、ブレーキ液圧値選択部６０から入力を受けた現在液圧信号が含むブレーキ液圧を、予め記憶している制動力算出マップに適合させて、車輪Ｗの制動力を算出する。そして、算出した各車輪Ｗ別の制動力と、制動力を算出した車輪Ｗの個別ＩＤ（右前輪、左前輪、右後輪、左後輪）を含む情報信号（以降の説明では、「個別車輪制動力信号」と記載する場合がある）を、制動力フリクション算出部４８へ出力する。さらに、個別車輪制動力信号を、操縦安定性制御ブロック３８へ出力する。
【００５２】
ここで、制動力算出マップは、図中に示すように、横軸にブレーキ液圧（図中では、「液圧」と示す）を示し、縦軸に車輪Ｗの制動力（図中では、「制動力」と示す）を示すマップである。また、制動力算出マップ中に示すブレーキ液圧と車輪Ｗの制動力との関係は、車輪Ｗを形成するタイヤのグリップ能力に応じて、その関係度合いが変化する。具体的には、ブレーキ液圧が増加して、車輪Ｗの制動力がタイヤのグリップ能力の限界に近づくほど、車輪Ｗの制動力は、その増加度合いが減少する。
以上により、制動力算出部４０は、各車輪Ｗに対し、その制動力を個別に算出する。
【００５３】
また、制動力算出部４０は、車両Ｖの走行制御に基づく車輪Ｗの制動力を算出する。ここで、車両Ｖの走行制御とは、車両Ｖの運転者による制動力要求の制御と、運転者による駆動力要求の制御と、車両Ｖのシステム制御を含む。また、車両Ｖのシステム制御とは、例えば、上述した先行車追従走行制御や、車線維持走行制御（レーンキープ制御）等である。
【００５４】
図５は、駆動力算出部４２の概略構成を示すブロック図である。
図５中に示すように、駆動力算出部４２は、推定トルク算出部６４と、トルク値選択部６６と、車輪駆動力算出部６８を備える。
ここで、推定トルク算出部６４、トルク値選択部６６及び車輪駆動力算出部６８で行なう処理は、各車輪Ｗに対して個別に行なう。
推定トルク算出部６４は、アクセル開度センサ１０から、アクセル開度信号（図中では、「アクセル開度」と示す）の入力を受ける。また、推定トルク算出部６４は、動力コントロールユニット２８から、現在トルク信号（図中では、「現在エンジントルク」と示す）と、トルクコントロール信号（図中では、「トルクコントロール機能」と示す）の入力を受ける。
【００５５】
そして、推定トルク算出部６４は、入力を受けたアクセル開度信号が含むアクセル開度と、現在トルク信号が含むトルクと、トルクコントロール信号が含むトルクに基づき、推定エンジントルクを算出する。そして、算出した推定エンジントルクを含む情報信号（以降の説明では、「推定エンジントルク信号」と記載する場合がある）を、トルク値選択部６６へ出力する。
【００５６】
トルク値選択部６６は、例えば、ブレーキ液圧値選択部６０と同様、マルチプレクサ回路を用いて形成する。また、トルク値選択部６６は、動力コントロールユニット２８から、ＴＣＳ作動フラグ信号（図中では、「ＴＣＳ作動フラグ」と示す）の入力を受ける。また、トルク値選択部６６は、推定トルク算出部６４から、推定エンジントルク信号の入力を受ける。また、トルク値選択部６６は、予め記憶しているトルクが「０」である状態を示す情報信号（図中では、「トルクゼロ」と示す）の入力を受ける。
【００５７】
そして、ＴＣＳ作動フラグ信号が、ＴＣＳ制御が作動している（「ＯＮ」）フラグ情報信号である場合、トルクが「０」である情報信号を選択する。一方、ＴＣＳ作動フラグ信号が、ＴＣＳ制御が作動していない（「ＯＦＦ」）フラグ情報信号である場合、推定エンジントルク信号を選択する。さらに、選択した信号を、現在のトルクを示す情報信号（以降の説明では、「現在トルク信号」と記載する場合がある）として、車輪駆動力算出部６８へ出力する。
【００５８】
車輪駆動力算出部６８は、トルク値選択部６６から入力を受けた現在トルク信号が含むトルクを、予め記憶している駆動力算出マップに適合させて、右前輪ＷＦＲ及び左前輪ＷＦＬの駆動力を算出する。そして、算出した車輪Ｗ別の駆動力と、駆動力を算出した車輪Ｗの個別ＩＤを含む情報信号（以降の説明では、「個別車輪駆動力信号」と記載する場合がある）を、駆動力フリクション算出部５０及び操縦安定性制御ブロック３８へ出力する。
【００５９】
ここで、駆動力算出マップは、図中に示すように、横軸にトルクを示し、縦軸に車輪Ｗの駆動力（図中では、「駆動力」と示す）を示すマップである。また、駆動力算出マップ中に示すトルクと車輪Ｗの駆動力との関係は、車輪Ｗを形成するタイヤのグリップ能力に応じて、その関係度合いが変化する。具体的には、トルクが増加して、車輪Ｗの駆動力がタイヤのグリップ能力の限界に近づくほど、車輪Ｗの駆動力は、その増加度合いが減少する。
以上により、駆動力算出部４２は、各車輪Ｗに対し、その駆動力を個別に算出する。
また、駆動力算出部４２は、車両Ｖの走行制御に基づく車輪Ｗの駆動力を算出する。なお、車両Ｖの走行制御とは、上述した制動力算出部４０の説明と同様である。
【００６０】
図６は、サスペンション状態算出部４４の概略構成を示すブロック図である。
図６中に示すように、サスペンション状態算出部４４は、バネ上側積分処理部７０と、バネ下側積分処理部７２と、上下加速度加減算処理部７４を備える。これに加え、サスペンション状態算出部４４は、ストローク速度積分処理部７６と、ストローク速度微分処理部７８と、車輪ストローク選択部８０と、車輪ストローク速度選択部８２を備える。
【００６１】
ここで、バネ上側積分処理部７０、バネ下側積分処理部７２、上下加速度加減算処理部７４、ストローク速度積分処理部７６で行なう処理は、各サスペンションＳＰに対して個別に行なう。これに加え、ストローク速度微分処理部７８、車輪ストローク選択部８０、車輪ストローク速度選択部８２で行なう処理は、各サスペンションＳＰに対して個別に行なう。
【００６２】
バネ上側積分処理部７０は、バネ上上下加速度センサの機能を有するブロック（図中では、「バネ上上下Ｇセンサ」と示す）から、バネ上上下加速度信号の入力を受ける。そして、バネ上側積分処理部７０は、入力を受けたバネ上上下加速度信号が含むバネ上部分における上下方向への加速度を積分し、バネ上部分における上下方向へのサスペンションＳＰの変位速度を算出する。そして、算出したバネ上部分における上下方向へのサスペンションＳＰの変位速度を含む情報信号（以降の説明では、「バネ上上下速度信号」と記載する場合がある）を、上下加速度加減算処理部７４へ出力する。
【００６３】
バネ下側積分処理部７２は、バネ下上下加速度センサの機能を有するブロック（図中では、「バネ下上下Ｇセンサ」と示す）から、バネ下上下加速度信号の入力を受ける。そして、バネ下側積分処理部７２は、入力を受けたバネ下上下加速度信号が含むバネ下部分における上下方向への加速度を積分し、バネ下部分における上下方向へのサスペンションＳＰの変位速度を算出する。さらに、算出したバネ下部分における上下方向へのサスペンションＳＰの変位速度を含む情報信号（以降の説明では、「バネ下上下速度信号」と記載する場合がある）を、上下加速度加減算処理部７４へ出力する。
【００６４】
上下加速度加減算処理部７４は、バネ上側積分処理部７０からバネ上上下速度信号の入力を受け、バネ下側積分処理部７２からバネ下上下速度信号の入力を受ける。そして、入力を受けたバネ上上下速度信号が含む変位速度から、入力を受けたバネ下上下速度信号が含む変位速度を減算し、サスペンションＳＰの推定ストローク速度を算出する。さらに、算出した推定ストローク速度を含む情報信号（以降の説明では、「推定ストローク速度信号」と記載する場合がある）を、ストローク速度積分処理部７６及び車輪ストローク速度選択部８２へ出力する。
【００６５】
ストローク速度積分処理部７６は、上下加速度加減算処理部７４から入力を受けた推定ストローク速度信号が含む推定ストローク速度を積分し、サスペンションＳＰの推定ストローク量（推定変位量）を算出する。そして、算出したサスペンションＳＰの推定ストローク量を含む情報信号（以降の説明では、「推定ストローク量信号」と記載する場合がある）を、車輪ストローク選択部８０へ出力する。
【００６６】
ストローク速度微分処理部７８は、ストロークセンサ１４から入力を受けた実測ストローク量信号が含むサスペンションＳＰの実測ストローク量を単位時間で微分し、サスペンションＳＰの実測ストローク速度を算出する。そして、算出したサスペンションＳＰの実測ストローク速度を含む情報信号（以降の説明では、「実測ストローク速度信号」と記載する場合がある）を、車輪ストローク速度選択部８２へ出力する。
【００６７】
車輪ストローク選択部８０は、実測ストローク量信号が含む実測ストローク量と、推定ストローク量信号が含む推定ストローク量のうち一方を、サスペンションＳＰのストローク量として選択する。そして、選択したストローク量とサスペンションＳＰの中立位置に基づき、サスペンションＳＰのストローク位置を算出する。ここで、サスペンションＳＰの中立位置とは、無負荷の状態におけるサスペンションＳＰの位置である。また、サスペンションＳＰのストローク位置とは、無負荷の状態におけるサスペンションＳＰの位置を基準として、選択したストローク量だけ変位した位置である。
【００６８】
さらに、車輪ストローク選択部８０は、算出したストローク位置を含む情報信号（以降の説明では、「サスペンションストローク位置信号」と記載する場合がある）を、サスペンション状態フリクション算出部５２へ出力する。なお、サスペンションストローク位置信号は、ストローク量を選択したサスペンションＳＰを設置した車輪Ｗの個別ＩＤを含む。
ここで、車輪ストローク選択部８０は、例えば、ストロークセンサ１４に故障等の異常が発生している場合に、推定ストローク量をサスペンションＳＰのストローク量として選択する処理を行う。
【００６９】
車輪ストローク速度選択部８２は、推定ストローク速度信号が含む推定ストローク速度と、実測ストローク速度信号が含む実測ストローク速度のうち一方を、サスペンションＳＰのストローク速度として選択する。そして、選択したストローク速度を含む情報信号（以降の説明では、「サスペンションストローク速度信号」と記載する場合がある）を、サスペンション状態フリクション算出部５２へ出力する。なお、サスペンションストローク速度信号は、ストローク速度を選択したサスペンションＳＰを設置した車輪Ｗの個別ＩＤを含む。
【００７０】
ここで、車輪ストローク速度選択部８２は、例えば、ストロークセンサ１４に故障等の異常が発生している場合に、推定ストローク速度をサスペンションＳＰのストローク速度として選択する処理を行う。
以上により、サスペンション状態算出部４４は、各サスペンションＳＰ（サスペンションＳＰＦＲ、サスペンションＳＰＦＬ、サスペンションＳＰＲＲ、サスペンションＳＰＲＬ）に対し、そのストローク位置を個別に算出する。
また、サスペンション状態算出部４４は、各サスペンションＳＰに対し、そのストローク速度を個別に算出する。
【００７１】
図７は、サスペンション横力算出部４６の概略構成を示すブロック図である。
図７中に示すように、サスペンション横力算出部４６は、車両状態算出部８４と、横加速度選択部８６と、第一車輪サスペンション横力算出部８８と、第二車輪サスペンション横力算出部９０と、横力決定部９２を備える。
ここで、車両状態算出部８４、横加速度選択部８６、第一車輪サスペンション横力算出部８８、第二車輪サスペンション横力算出部９０、横力決定部９２で行なう処理は、各サスペンションＳＰに対して個別に行なう。
【００７２】
車両状態算出部８４は、車輪速センサ１８から、車両Ｖの速度（車速）を検出するための車輪Ｗの回転速度を含む車輪速信号（図中では、「車速」と示す）の入力を受ける。また、車両状態算出部８４は、操舵角センサ６から現在操舵角信号（図中では、「舵角」と示す）の入力を受ける。
そして、車両状態算出部８４は、車輪速信号が含む車輪Ｗの回転速度に基づく車速と、現在操舵角信号が含む現在操舵角を用いて、推定横加速度を算出する。そして、算出した推定横加速度を含む情報信号（以降の説明では、「推定横加速度信号」と記載する場合がある）を、横加速度選択部８６へ出力する。
【００７３】
ここで、推定横加速度の算出は、入力を受けた車速と操舵角を、予め記憶している運動方程式に代入して行なう。なお、運動方程式は、例えば、車両Ｖの構成が二輪駆動車（２ＷＤ）の場合と、四輪駆動車（４ＷＤ）の場合の二通りを記憶させておく。
また、車両状態算出部８４は、車輪速信号が含む車輪Ｗの回転速度に基づく車速と、現在操舵角信号が含む現在操舵角を用いて、例えば、車輪Ｗに対し、予め設定した荷重当たりのスリップ角を、車両状態として算出する。そして、算出した車両状態を含む情報信号（以降の説明では、「算出車両状態信号」と記載する場合がある）を、第二車輪サスペンション横力算出部９０へ出力する。
【００７４】
横加速度選択部８６は、車両状態算出部８４から推定横加速度信号の入力を受け、横加速度センサの機能を有するブロック（図中では、「横Ｇセンサ」と示す）から実測横加速度信号の入力を受ける。そして、推定横加速度信号が含む推定横加速度と、実測横加速度信号が含む実測横加速度のうち一方を、車体の横方向の加速度として選択する。さらに、選択した横方向の加速度を含む情報信号（以降の説明では、「選択横方向加速度信号」と記載する場合がある）を、第一車輪サスペンション横力算出部８８へ出力する。
ここで、横加速度選択部８６は、例えば、Ｇセンサ２（横加速度センサの機能を有するブロック）に故障等の異常が発生している場合に、推定横加速度を車体の横方向の加速度として選択する処理を行う。
【００７５】
第一車輪サスペンション横力算出部８８は、横加速度選択部８６から入力を受けた選択横方向加速度信号が含む横方向の加速度を、予め記憶している横力算出マップに適合させて、サスペンションＳＰの横力を算出する。そして、算出した各サスペンションＳＰ別の横力を含む情報信号（以降の説明では、「第一個別車輪横力信号」と記載する場合がある）を、横力決定部９２へ出力する。なお、第一個別車輪横力信号は、横力を算出したサスペンションＳＰを設置した車輪Ｗの個別ＩＤを含む。
【００７６】
ここで、横力算出マップは、図中に示すように、横軸に横方向の加速度（図中では、「横Ｇ」と示す）を示し、縦軸にサスペンションＳＰの横力（図中では、「サスペンション横力」と示す）を示すマップである。また、横力算出マップ中に示す横方向の加速度と横力との関係は、車輪Ｗを形成するタイヤのグリップ能力に応じて、その関係度合いが変化する。具体的には、トルクが増加して、サスペンションＳＰの横力がタイヤのグリップ能力の限界に近づくほど、サスペンションＳＰの横力は、その増加度合いが減少する。
【００７７】
第二車輪サスペンション横力算出部９０は、車両状態算出部８４から入力を受けた算出車両状態信号が含む車両状態を、予め記憶している車輪Ｗの諸元（タイヤモデル）に代入して、サスペンションＳＰの横力を算出する。そして、算出した各サスペンションＳＰ別の横力を含む情報信号（以降の説明では、「第二個別車輪横力信号」と記載する場合がある）を、横力決定部９２へ出力する。なお、第一個別車輪横力信号は、第二個別車輪横力信号と同様、横力を算出したサスペンションＳＰを設置した車輪Ｗの個別ＩＤを含む。
なお、第二車輪サスペンション横力算出部９０に記憶している車輪Ｗの諸元は、車両Ｖの走行距離等に応じて更新・変更してもよい。
【００７８】
横力決定部９２は、第一個別車輪横力信号が含む横力と、第二個別車輪横力信号が含む横力のうち少なくとも一方に基づき、各サスペンションＳＰ別の横力を算出する。そして、算出した各サスペンションＳＰ別の横力を含む情報信号（以降の説明では、「各輪横力信号」と記載する場合がある）を、横力フリクション算出部５４へ出力する。
ここで、横力決定部９２が行なう処理では、例えば、第一個別車輪横力信号が含む横力と第二個別車輪横力信号が含む横力のうち一方を、各サスペンションＳＰ別の横力として算出してもよい。また、二つの横力の平均値を、各サスペンションＳＰ別の横力として算出してもよい。
【００７９】
以上により、サスペンション横力算出部４６は、各サスペンションＳＰに対し、その横力を個別に算出する。
制動力フリクション算出部４８は、制動力算出部４０から入力を受けた個別車輪制動力信号が含む制動力を、予め記憶している制動力フリクション算出マップに適合させる。これにより、制動力によって、各サスペンションＳＰに発生するフリクションを算出する。そして、算出した各サスペンションＳＰ別のフリクションを含む情報信号（以降の説明では、「制動力フリクション信号」と記載する場合がある）を、総フリクション算出部５６へ出力する。なお、以降の説明では、制動力によりサスペンションＳＰに発生するフリクションを、「制動力フリクション」と記載する場合がある。
【００８０】
ここで、制動力フリクション算出マップは、図８中に示すように、横軸に車輪Ｗの制動力（図中では、「制動力［Ｎ］」と示す）を示すマップである。さらに、制動力フリクション算出マップは、縦軸に、制動力によりサスペンションＳＰに発生するフリクション（図中では、「フリクション‐制動力［Ｎ］」と示す）を示すマップである。なお、図８は、制動力フリクション算出マップを示す図である。また、図８中では、制動力により前輪ＷＦと車体とを連結するサスペンションＳＰ（サスペンションＳＰＦＲ、サスペンションＳＰＦＬ）に発生するフリクションを実線（図中では、「フリクション‐前軸制動力［Ｎ］」と示す）で示す。また、図８中では、制動力により後輪ＷＲと車体とを連結するサスペンションＳＰ（サスペンションＳＰＲＲ、サスペンションＳＰＲＬ）に発生するフリクションを破線（図中では、「フリクション‐後軸制動力［Ｎ］」と示す）で示す。
【００８１】
以上により、制動力フリクション算出部４８は、制動力算出部４０が算出した制動力に基づいて発生する制動力フリクションを、各サスペンションＳＰに対して個別に算出する。なお、制動力フリクションは、制動力算出部４０が算出した制動力に基づいてサスペンションＳＰに発生するフリクションの推定値である。
【００８２】
駆動力フリクション算出部５０は、駆動力算出部４２から入力を受けた個別車輪駆動力信号が含む駆動力を、予め記憶している駆動力フリクション算出マップに適合させる。これにより、駆動力によって、各サスペンションＳＰに発生するフリクションを算出する。そして、算出した各サスペンションＳＰ別のフリクションを含む情報信号（以降の説明では、「駆動力フリクション信号」と記載する場合がある）を、総フリクション算出部５６へ出力する。なお、以降の説明では、駆動力によりサスペンションＳＰに発生するフリクションを、「駆動力フリクション」と記載する場合がある。
【００８３】
ここで、駆動力フリクション算出マップは、図９中に示すように、横軸に車輪Ｗの駆動力（図中では、「駆動力［Ｎ］」と示す）を示すマップである。さらに、駆動力フリクション算出マップは、縦軸に、駆動力によりサスペンションＳＰに発生するフリクション（図中では、「フリクション‐駆動力［Ｎ］」と示す）を示すマップである。なお、図９は、駆動力フリクション算出マップを示す図である。また、図９中では、駆動力により前輪ＷＦと車体とを連結するサスペンションＳＰ（サスペンションＳＰＦＲ、サスペンションＳＰＦＬ）に発生するフリクションを実線（図中では、「フリクション‐前軸駆動力［Ｎ］」と示す）で示す。
【００８４】
また、図９中では、駆動力により後輪ＷＲと車体とを連結するサスペンションＳＰ（サスペンションＳＰＲＲ、サスペンションＳＰＲＬ）に発生するフリクションを破線（図中では、「フリクション‐後軸駆動力［Ｎ］」と示す）で示す。さらに、図９中に示す駆動力フリクション算出マップでは、マップの右半分を加速状態の領域として用い、マップの左半分をエンジンブレーキ作動状態の領域として用いる。
以上により、駆動力フリクション算出部５０は、駆動力算出部４２が算出した駆動力に基づいて発生する駆動力フリクションを、各サスペンションＳＰ（サスペンションＳＰＦＲ、サスペンションＳＰＦＬ）に対して個別に算出する。なお、駆動力フリクションは、駆動力算出部４２が算出した駆動力に基づいてサスペンションＳＰに発生するフリクションの推定値である。
【００８５】
サスペンション状態フリクション算出部５２は、サスペンション状態算出部４４から入力を受けたサスペンションストローク位置信号が含むストローク位置を、予め記憶しているストローク位置フリクション算出マップに適合させる。これにより、サスペンション状態フリクション算出部５２は、ストローク位置に応じてサスペンションＳＰに発生するフリクションを算出する。そして、算出した各サスペンションＳＰ別のフリクションを含む情報信号（以降の説明では、「ストローク位置フリクション信号」と記載する場合がある）を、総フリクション算出部５６へ出力する。なお、以降の説明では、ストローク位置に応じてサスペンションＳＰに発生するフリクションを、「ストローク位置フリクション」と記載する場合がある。
ここで、ストローク位置フリクション算出マップは、図１０中に示すように、横軸にサスペンションＳＰのストローク位置（図中では、「ストローク位置［ｍｍ］」と示す）を示すマップである。さらに、ストローク位置フリクション算出マップは、縦軸に、ストローク位置に応じてサスペンションＳＰに発生するフリクション（図中では、「フリクション‐ストローク位置［Ｎ］」と示す）を示すマップである。なお、図１０は、ストローク位置フリクション算出マップを示す図である。また、図１０中では、ストローク位置に応じて前輪ＷＦと車体とを連結するサスペンションＳＰ（サスペンションＳＰＦＲ、サスペンションＳＰＦＬ）に発生するフリクションを実線（図中では、「フリクション‐前軸ストローク位置［ｍｍ］」と示す）で示す。また、ストローク位置に応じて後輪ＷＲと車体とを連結するサスペンションＳＰ（サスペンションＳＰＲＲ、サスペンションＳＰＲＬ）に発生するフリクションを破線（図中では、「フリクション‐後軸ストローク位置［ｍｍ］」と示す）で示す。さらに、図１０中に示すストローク位置フリクション算出マップでは、マップの右半分を上方への変位を示す領域として用い、マップの左半分を下方への変位を示す領域として用いる。
【００８６】
また、サスペンション状態フリクション算出部５２は、サスペンション状態算出部４４から入力を受けたサスペンションストローク速度信号が含むストローク速度を、予め記憶しているストローク速度フリクション算出マップに適合させる。これにより、サスペンション状態フリクション算出部５２は、ストローク速度に応じてサスペンションＳＰに発生するフリクションを算出する。そして、算出した各サスペンションＳＰ別のフリクションを含む情報信号（以降の説明では、「ストローク速度フリクション信号」と記載する場合がある）を、総フリクション算出部５６へ出力する。なお、以降の説明では、ストローク速度に応じてサスペンションＳＰに発生するフリクションを、「ストローク速度フリクション」と記載する場合がある。
【００８７】
ここで、ストローク速度フリクション算出マップは、図１１中に示すように、横軸にサスペンションＳＰのストローク速度（図中では、「ストローク速度［ｍ／ｓ］」と示す）を示すマップである。さらに、ストローク速度フリクション算出マップは、縦軸に、ストローク速度に応じてサスペンションＳＰに発生するフリクション（図中では、「フリクション‐ストローク速度［Ｎ］」と示す）を示すマップである。なお、図１１は、ストローク速度フリクション算出マップを示す図である。また、図１１中では、ストローク速度に応じて前輪ＷＦと車体とを連結するサスペンションＳＰ（サスペンションＳＰＦＲ、サスペンションＳＰＦＬ）に発生するフリクションを実線（図中では、「フリクション‐前軸ストローク速度［ｍ／ｓ］」と示す）で示す。また、ストローク速度に応じて後輪ＷＲと車体とを連結するサスペンションＳＰ（サスペンションＳＰＲＲ、サスペンションＳＰＲＬ）に発生するフリクションを破線（図中では、「フリクション‐後軸ストローク速度［ｍ／ｓ］」と示す）で示す。さらに、図１１中に示すストローク速度フリクション算出マップでは、マップの右半分を上方への変位を示す領域として用い、マップの左半分を下方への変位を示す領域として用いる。
【００８８】
以上により、サスペンション状態フリクション算出部５２は、サスペンション状態算出部４４が算出したストローク位置に基づいて発生するストローク位置フリクションを、各サスペンションＳＰに対して個別に算出する。なお、ストローク位置フリクションは、サスペンション状態算出部４４が算出したストローク位置に基づいてサスペンションＳＰに発生するフリクションの推定値である。
また、サスペンション状態フリクション算出部５２は、サスペンション状態算出部４４が算出したストローク速度に基づいて発生するストローク速度フリクションを、各サスペンションＳＰに対して個別に算出する。なお、ストローク速度フリクションは、サスペンション状態算出部４４が算出したストローク速度に基づいてサスペンションＳＰに発生するフリクションの推定値である。
【００８９】
横力フリクション算出部５４は、サスペンション横力算出部４６から入力を受けた各輪横力信号が含む各サスペンションＳＰ別の横力を、予め記憶している横力フリクション算出マップに適合させる。これにより、横力フリクション算出部５４は、横力に応じてサスペンションＳＰに発生するフリクションを算出する。そして、算出した各サスペンションＳＰ別のフリクションを含む情報信号（以降の説明では、「横力フリクション信号」と記載する場合がある）を、総フリクション算出部５６へ出力する。なお、以降の説明では、横力に応じてサスペンションＳＰに発生するフリクションを、「横力フリクション」と記載する場合がある。
【００９０】
ここで、横力フリクション算出マップは、図１２中に示すように、横軸に、サスペンションＳＰの横力（図中では、「横力［Ｎ］」と示す）を示すマップである。さらに、横力フリクション算出マップは、縦軸に、横力に応じてサスペンションＳＰに発生するフリクション（図中では、「フリクション‐横力［Ｎ］」と示す）を示すマップである。なお、図１２は、横力フリクション算出マップを示す図である。また、図１２中では、横力に応じて前輪ＷＦと車体とを連結するサスペンションＳＰ（サスペンションＳＰＦＲ、サスペンションＳＰＦＬ）に発生するフリクションを実線（図中では、「フリクション‐前軸横力［Ｎ］」と示す）で示す。また、横力に応じて後輪ＷＲと車体とを連結するサスペンションＳＰ（サスペンションＳＰＲＲ、サスペンションＳＰＲＬ）に発生するフリクションを破線（図中では、「フリクション‐後軸横力［Ｎ］」と示す）で示す。さらに、図１２中に示す横力フリクション算出マップでは、マップの右半分を、車両Ｖを車両前後方向後方から見た右側への横力に対応した領域として用い、マップの左半分を、車両Ｖを車両前後方向後方から見た左側への横力に対応した領域として用いる。
【００９１】
以上により、横力フリクション算出部５４は、サスペンション横力算出部４６が算出した横力に基づいて発生する横力フリクションを、各サスペンションＳＰに対して個別に算出する。なお、横力フリクションは、サスペンション横力算出部４６が算出した横力に基づいてサスペンションＳＰに発生するフリクションの推定値である。
なお、上述した制動力フリクション算出マップ、駆動力フリクション算出マップ、ストローク位置フリクション算出マップ、ストローク速度フリクション算出マップ、横力フリクション算出マップは、台上走行や路上走行等で計測したデータを用いて形成する。ここで、台上走行とは、例えば、シャシーダイナモメーター（ｃｈａｓｓｉｓ  ｄｙｎａｍｏｍｅｔｅｒ）上の走行である。
【００９２】
総フリクション算出部５６は、制動力フリクション算出部４８から制動力フリクション信号の入力を受け、駆動力フリクション算出部５０から駆動力フリクション信号の入力を受ける。これに加え、サスペンション状態フリクション算出部５２からストローク位置フリクション信号及びストローク速度フリクション信号の入力を受け、横力フリクション算出部５４から横力フリクション信号の入力を受ける。そして、制動力フリクションと、駆動力フリクションと、ストローク位置フリクションと、ストローク速度フリクションと、横力フリクションを合算する。
【００９３】
これにより、一つのサスペンションＳＰの総フリクション（以降の説明では、「各輪総フリクション」と記載する場合がある）を算出する。さらに、算出した各輪総フリクションを含む情報信号（以降の説明では、「各輪総フリクション信号」と記載する場合がある）を、乗り心地制御ブロック３６及び操縦安定性制御ブロック３８へ出力する。
【００９４】
（乗り心地制御ブロック３６の構成）
次に、図１から図１２を参照しつつ、図１３を用いて、乗り心地制御ブロック３６の構成を説明する。
図１３は、乗り心地制御ブロック３６の概略構成を示すブロック図である。
図１３中に示すように、乗り心地制御ブロック３６は、乗り心地制御側車両挙動算出部９４と、挙動抑制フリクション算出部１１２と、乗り心地制御側目標フリクション算出部９６を備える。これに加え、乗り心地制御ブロック３６は、乗り心地制御側制駆動力配分比算出部９８と、制動力指令値算出部１００Ａと、モータ側駆動力指令値算出部１０１Ａと、エンジン側駆動力指令値算出部１０２Ａを備える。
【００９５】
乗り心地制御側車両挙動算出部９４は、上述した車輪速信号（図中では、「車速」と示す）、現在操舵角信号（図中では、「舵角」と示す）の入力を受ける。これに加え、乗り心地制御側車両挙動算出部９４は、バネ上上下加速度信号、バネ下上下加速度信号及び実測ストローク量信号（図中では、「サスペンション」と示す）の入力を受ける。また、乗り心地制御側車両挙動算出部９４には、予め、車両Ｖの諸元（車重、車重のバランス等、以降の説明では、「車両諸元」と記載する場合がある）を記憶させてある。
【００９６】
また、乗り心地制御側車両挙動算出部９４は、バネ上上下加速度、バネ下上下加速度、実測ストローク量を用いて、車両Ｖの上下方向への挙動の推定値である、推定上下挙動を算出する。そして、算出した推定上下挙動を含む情報信号（以降の説明では、「推定上下挙動信号」と記載する場合がある）を、挙動抑制フリクション算出部１１２へ出力する。なお、推定上下挙動を算出する処理は、車両諸元を参照して行なってもよい。すなわち、乗り心地制御側車両挙動算出部９４は、車体に発生する上下方向への挙動である、車体の上下挙動を算出する。
【００９７】
また、乗り心地制御側車両挙動算出部９４は、車速と現在操舵角を用いて、車両Ｖのヨーレートの推定値である、推定ヨーレートを算出する。そして、算出した推定ヨーレートを含む情報信号（以降の説明では、「推定ヨーレート信号」と記載する場合がある）を、乗り心地制御側制駆動力配分比算出部９８へ出力する。なお、推定ヨーレートを算出する処理は、車両諸元を参照して行なってもよい。
【００９８】
挙動抑制フリクション算出部１１２は、乗り心地制御側車両挙動算出部９４から推定上下挙動信号の入力を受け、推定上下挙動信号が含む推定上下挙動を、予め記憶している目標フリクション算出マップに適合させて、挙動抑制フリクションを算出する。そして、算出した挙動抑制フリクションを含む情報信号（以降の説明では、「挙動抑制フリクション信号」と記載する場合がある）を、乗り心地制御側目標フリクション算出部９６へ出力する。
【００９９】
ここで、目標フリクション算出マップは、図中に示すように、横軸に推定上下挙動（図中では、「上下挙動」と示す）を示し、縦軸に挙動抑制フリクション（図中では、「フリクション」と示す）を示すマップである。また、目標フリクション算出マップに示す推定上下挙動と挙動抑制フリクションとの関係は、予め、台上走行や路上走行等で計測したデータを用いて形成する。
【０１００】
また、挙動抑制フリクションとは、車両Ｖの上下挙動を抑制するために必要な、各サスペンションＳＰに発生させるフリクションである。
乗り心地制御側目標フリクション算出部９６は、挙動抑制フリクション算出部１１２から挙動抑制フリクション信号の入力を受け、総フリクション算出部５６から各輪総フリクション信号の入力を受ける。また、乗り心地制御側目標フリクション算出部９６は、上述した車輪速信号の入力を受ける。
【０１０１】
そして、乗り心地制御側目標フリクション算出部９６は、挙動抑制フリクションと、各輪総フリクションと、車速を用いて、乗り心地制御用各輪目標フリクションを算出する。具体的には、挙動抑制フリクションから各輪総フリクションを減算したフリクションを、乗り心地制御用各輪目標フリクションとして算出する。
ここで、乗り心地制御用各輪目標フリクションとは、車両Ｖの上下挙動を抑制するために、各サスペンションＳＰに発生させるフリクションの目標値である。
【０１０２】
さらに、乗り心地制御側目標フリクション算出部９６は、乗り心地制御用各輪目標フリクションと各輪総フリクションとの差分値である乗り心地制御用フリクション差分値を算出する。そして、算出した乗り心地制御用フリクション差分値を含む情報信号（以降の説明では、「乗り心地制御用フリクション差分値信号」と記載する場合がある）を、乗り心地制御側制駆動力配分比算出部９８へ出力する。
乗り心地制御側制駆動力配分比算出部９８は、乗り心地制御側目標フリクション算出部９６から乗り心地制御用フリクション差分値信号の入力を受け、総フリクション算出部５６から各輪総フリクション信号の入力を受ける。また、乗り心地制御側制駆動力配分比算出部９８は、乗り心地制御側車両挙動算出部９４から推定ヨーレート信号の入力を受ける。
【０１０３】
そして、乗り心地制御側制駆動力配分比算出部９８は、各輪総フリクション及び乗り心地制御用各輪目標フリクションを用いて、全てのサスペンションＳＰに対し、乗り心地制御用各輪目標フリクションに対する総フリクションの過不足分を個別に算出する。
ここで、過不足分の算出は、総フリクション算出部５６が算出した総フリクションと、乗り心地制御側目標フリクション算出部９６が算出した乗り心地制御用各輪目標フリクションに基づいて行なう。具体的には、例えば、総フリクションが乗り心地制御用各輪目標フリクション未満である場合に、乗り心地制御用各輪目標フリクションから総フリクションを減算して、乗り心地制御用各輪目標フリクションに対する総フリクションの不足分を算出する。
【０１０４】
また、乗り心地制御側制駆動力配分比算出部９８は、推定ヨーレート、各輪総フリクション及び乗り心地制御用各輪目標フリクションを用いて、制駆動力分配指令値を演算する。
ここで、制駆動力分配指令値とは、制動力によるフリクション及び駆動力によるフリクションのうち少なくとも一方を、各サスペンションＳＰに発生させる指令値である。
【０１０５】
また、駆動力によるフリクションには、エンジン３０Ｂが発生させる駆動力によるフリクションと、駆動用モータ３０Ａが発生させる駆動力によるフリクションがある。なお、以降の説明では、エンジン３０Ｂが発生させる駆動力によるフリクションを、「エンジンフリクション」と記載する場合がある。同様に、以降の説明では、駆動用モータ３０Ａが発生させる駆動力によるフリクションを、「モータフリクション」と記載する場合がある。
さらに、乗り心地制御側制駆動力配分比算出部９８は、制駆動力分配指令値と過不足分のフリクションに基づき、フリクションを発生させるサスペンションＳＰにおける、制動力によるフリクションと駆動力によるフリクションの配分比を算出する。これにより、乗り心地制御側制駆動力配分比を算出する。
【０１０６】
ここで、乗り心地制御側制駆動力配分比とは、乗り心地制御用各輪目標フリクションに対する総フリクションの過不足分に相当するフリクションをサスペンションＳＰに発生させるために必要な、車輪Ｗの制動力と車輪Ｗの駆動力との配分比である。また、車輪Ｗの駆動力の配分比には、エンジン３０Ｂが発生させる駆動力と駆動用モータ３０Ａが発生させる駆動力との配分比を含む。
したがって、乗り心地制御用各輪目標フリクションは目標値であり、乗り心地制御用各輪目標フリクションに対する各車輪Ｗのフリクションは実際値である。また、上述した過不足分の補正は、車輪Ｗの制動力及び車輪Ｗの駆動力のうち少なくとも一方によりサスペンションＳＰに発生させるフリクションで行う。
【０１０７】
なお、乗り心地制御側制駆動力配分比算出部９８が乗り心地制御側制駆動力配分比を算出する処理の説明は、後述する。
さらに、乗り心地制御側制駆動力配分比算出部９８は、算出した乗り心地制御側制駆動力配分比を含む情報信号（以降の説明では、「乗り心地制御側制駆動力配分比信号」と記載する場合がある）を、制動力指令値算出部１００Ａへ出力する。これに加え、乗り心地制御側制駆動力配分比算出部９８は、乗り心地制御側制駆動力配分比信号を、モータ側駆動力指令値算出部１０１Ａ及びエンジン側駆動力指令値算出部１０２Ａへ出力する。
【０１０８】
制動力指令値算出部１００Ａは、乗り心地制御側制駆動力配分比算出部９８から入力を受けた乗り心地制御側制駆動力配分比信号が含む乗り心地制御側制駆動力配分比のうち、車輪Ｗの制動力の配分比に基づいて、乗り心地制御側駆動力指令値を算出する。
ここで、乗り心地制御側制動力指令値は、乗り心地制御側制駆動力配分比信号が含む乗り心地制御側制駆動力配分比に基づくフリクションをサスペンションＳＰに発生させるための、車輪Ｗに対する制動力の最終指令値である。
【０１０９】
乗り心地制御側制動力指令値を算出した制動力指令値算出部１００Ａは、算出した乗り心地制御側制動力指令値を指令液圧（ブレーキ液圧）に換算する。そして、換算した指令液圧を含む情報信号である制動指令信号を、ブレーキアクチュエータ２６へ出力する。
なお、乗り心地制御側制動力指令値を指令液圧に換算する処理の説明については、後述する。
【０１１０】
モータ側駆動力指令値算出部１０１Ａは、乗り心地制御側制駆動力配分比算出部９８から入力を受けた乗り心地制御側制駆動力配分比信号が含む乗り心地制御側制駆動力配分比を参照する。そして、乗り心地制御側制駆動力配分比のうち、車輪Ｗの駆動力が含む、駆動用モータ３０Ａで発生させる駆動力の配分比を取得する。
次に、取得した配分比に基づいて乗り心地制御側モータ駆動力指令値を算出し、この算出した乗り心地制御側モータ駆動力指令値を、駆動用モータ３０Ａで発生させる駆動トルクの補正値（モータ駆動トルク補正値）に換算する。さらに、換算したモータ駆動トルク補正値を含む情報信号である駆動指令信号を、動力コントロールユニット２８へ出力する。
【０１１１】
エンジン側駆動力指令値算出部１０２Ａは、乗り心地制御側制駆動力配分比算出部９８から入力を受けた乗り心地制御側制駆動力配分比信号が含む乗り心地制御側制駆動力配分比を参照する。そして、乗り心地制御側制駆動力配分比のうち、車輪Ｗの駆動力が含む、エンジン３０Ｂで発生させる駆動力の配分比を取得する。
次に、取得した配分比に基づいて乗り心地制御側エンジン駆動力指令値を算出し、この算出した乗り心地制御側エンジン駆動力指令値を、エンジン３０Ｂで発生させる駆動トルクの補正値（エンジン駆動トルク補正値）に換算する。さらに、この換算したエンジン駆動トルク補正値を含む情報信号である駆動指令信号を、動力コントロールユニット２８へ出力する。
【０１１２】
なお、乗り心地制御側モータ駆動力指令値をモータ駆動トルク補正値に換算する処理と、乗り心地制御側エンジン駆動力指令値をエンジン駆動トルク補正値に換算する処理の説明は、後述する。
ここで、乗り心地制御側駆動力指令値は、乗り心地制御側制駆動力配分比算出部９８が算出した車輪Ｗの駆動力の配分比に基づくフリクションをサスペンションＳＰに発生させるための、車輪Ｗに対する駆動力の最終指令値（車輪Ｗの駆動力の指令値）である。また、乗り心地制御側駆動力指令値は、後述するように、車両Ｖの上下挙動を抑制するためのフリクションを各サスペンションＳＰに発生させるための、車輪Ｗに対する駆動力の最終指令値となる。
【０１１３】
（操縦安定性制御ブロック３８の構成）
次に、図１から図１３を参照しつつ、図１４を用いて、操縦安定性制御ブロック３８の構成を説明する。
図１４は、操縦安定性制御ブロック３８の概略構成を示すブロック図である。
図１４中に示すように、操縦安定性制御ブロック３８は、推定前後力算出部１０４と、操縦安定性制御側車両挙動算出部１０６と、操縦安定性制御側目標フリクション算出部１０８を備える。これに加え、操縦安定性制御ブロック３８は、操縦安定性制御側制駆動力配分比算出部１１０と、制動力指令値算出部１００Ｂと、モータ側駆動力指令値算出部１０１Ｂと、エンジン側駆動力指令値算出部１０２Ｂを備える。
【０１１４】
推定前後力算出部１０４は、制動力算出部４０から個別車輪制動力信号の入力を受け、駆動力算出部４２から個別車輪駆動力信号の入力を受ける。そして、算出した各車輪Ｗ別の制動力及び個別ＩＤと、算出した各車輪Ｗ別の駆動力及び個別ＩＤを用いて、車両Ｖに作用する力のうち、車両前後方向への力の推定値である、推定前後力を算出する。
また、推定前後力算出部１０４は、算出した推定前後力を含む情報信号（以降の説明では、「推定前後力信号」と記載する場合がある）を、操縦安定性制御側車両挙動算出部１０６へ出力する。
【０１１５】
操縦安定性制御側車両挙動算出部１０６は、上述した車輪速信号（図中では、「車速」と示す）、現在操舵角信号（図中では、「舵角」と示す）、推定前後力信号の入力を受ける。また、操縦安定性制御側車両挙動算出部１０６には、予め、車両諸元を記憶させてある。
また、操縦安定性制御側車両挙動算出部１０６は、車速と現在操舵角を用いて、車両Ｖのロールレートの推定値である推定ロールレートを算出する。そして、算出した推定ロールレートを含む情報信号（以降の説明では、「推定ロールレート信号」と記載する場合がある）を、操縦安定性制御側目標フリクション算出部１０８へ出力する。なお、推定ロールレートを算出する処理は、車両諸元を参照して行なってもよい。
【０１１６】
また、操縦安定性制御側車両挙動算出部１０６は、推定前後力を用いて、車両Ｖのピッチレートの推定値である推定ピッチレートを算出する。そして、算出した推定ピッチレートを含む情報信号（以降の説明では、「推定ピッチレート信号」と記載する場合がある）を、操縦安定性制御側目標フリクション算出部１０８へ出力する。なお、推定ピッチレートを算出する処理は、車両諸元を参照して行なってもよい。
【０１１７】
操縦安定性制御側目標フリクション算出部１０８は、操縦安定性制御側車両挙動算出部１０６から推定ロールレート信号及び推定ピッチレート信号の入力を受け、総フリクション算出部５６から各輪総フリクション信号の入力を受ける。また、操縦安定性制御側目標フリクション算出部１０８は、上述した車輪速信号の入力を受ける。
そして、操縦安定性制御側目標フリクション算出部１０８は、推定ロールレートと、推定ピッチレートと、各輪総フリクションと、車速を用いて、操縦安定性制御用各輪目標フリクションを算出する。
【０１１８】
ここで、操縦安定性制御用各輪目標フリクションとは、運転者の運転操作や上述したＴＣＳ制御等により車両Ｖに発生する上屋挙動（ピッチ挙動、ロール挙動）を抑制するために、各サスペンションＳＰに発生させるフリクションの目標値である。
さらに、操縦安定性制御側目標フリクション算出部１０８は、操縦安定性制御用各輪目標フリクションと各輪総フリクションとの差分値である操縦安定性制御用フリクション差分値を算出する。そして、算出した操縦安定性制御用フリクション差分値を含む情報信号（以降の説明では、「操縦安定性制御用フリクション差分値信号」と記載する場合がある）を、操縦安定性制御側制駆動力配分比算出部１１０へ出力する。
【０１１９】
操縦安定性制御側制駆動力配分比算出部１１０は、操縦安定性制御側目標フリクション算出部１０８から操縦安定性制御用フリクション差分値信号の入力を受け、総フリクション算出部５６から各輪総フリクション信号の入力を受ける。
そして、操縦安定性制御側制駆動力配分比算出部１１０は、各輪総フリクション及び操縦安定性制御用各輪目標フリクションを用いて、操縦安定性制御側制駆動力配分比を算出する。
【０１２０】
ここで、操縦安定性制御側制駆動力配分比とは、車両Ｖに発生する上屋挙動のうち、車両Ｖの操縦に関する挙動（ピッチ挙動、ロール挙動）を抑制するための、車輪Ｗの制動力と車輪Ｗの駆動力との配分比である。すなわち、操縦安定性制御側制駆動力配分比は、操縦安定性制御用各輪目標フリクション（目標値）に対する各車輪Ｗのフリクション（実際値）の過不足分を補正するために、車輪Ｗの制動力及び駆動力を制御するための配分である。また、車輪Ｗの駆動力の配分比には、上述した乗り心地制御側制駆動力配分比と同様、エンジン３０Ｂが発生させる駆動力と駆動用モータ３０Ａが発生させる駆動力との配分比を含む。
【０１２１】
さらに、操縦安定性制御側制駆動力配分比算出部１１０は、算出した操縦安定性制御側制駆動力配分比を含む情報信号（以降の説明では、「操縦安定性制御側制駆動力配分比信号」と記載する場合がある）を、制動力指令値算出部１００Ｂへ出力する。これに加え、操縦安定性制御側制駆動力配分比算出部１１０は、操縦安定性制御側制駆動力配分比信号を、モータ側駆動力指令値算出部１０１Ｂ及びエンジン側駆動力指令値算出部１０２Ｂへ出力する。
【０１２２】
なお、操縦安定性制御側制駆動力配分比算出部１１０が操縦安定性制御側制駆動力配分比を算出する処理の説明は、後述する。
制動力指令値算出部１００Ｂは、操縦安定性制御側制駆動力配分比算出部１１０から入力を受けた操縦安定性制御側制駆動力配分比信号が含む操縦安定性制御側制駆動力配分比のうち、車輪Ｗの制動力の配分比に基づいて、操縦安定性制御側制動力指令値を算出する。
【０１２３】
ここで、操縦安定性制御側制動力指令値は、操縦安定性制御側制動力補正値信号が含む操縦安定性制御側制動力補正値に基づくフリクションをサスペンションＳＰに発生させるための、車輪Ｗに対する制動力の最終指令値である。
操縦安定性制御側制動力指令値を算出した制動力指令値算出部１００Ｂは、算出した操縦安定性制御側制動力指令値を指令液圧（ブレーキ液圧）に換算する。そして、換算した指令液圧を含む情報信号である制動指令信号を、ブレーキアクチュエータ２６へ出力する。なお、操縦安定性制御ブロック３８が備える制動力指令値算出部１００Ｂは、乗り心地制御ブロック３６が備える制動力指令値算出部１００Ａと共用してもよく、また、別個の構成としてもよい。
【０１２４】
なお、操縦安定性制御側制動力指令値を指令液圧に換算する処理の説明については、後述する。
モータ側駆動力指令値算出部１０１Ｂは、操縦安定性制御側制駆動力配分比算出部１１０から入力を受けた操縦安定性制御側制駆動力配分比信号が含む操縦安定性制御側制駆動力配分比を参照する。そして、操縦安定性制御側制駆動力配分比のうち、車輪Ｗの駆動力が含む、駆動用モータ３０Ａで発生させる駆動力の配分比を取得する。
【０１２５】
次に、取得した配分比に基づいて操縦安定性制御側モータ駆動力指令値を算出し、この算出した操縦安定性制御側モータ駆動力指令値を、モータ駆動トルク補正値に換算する。さらに、換算したモータ駆動トルク補正値を含む情報信号である駆動指令信号を、動力コントロールユニット２８へ出力する。なお、操縦安定性制御ブロック３８が備えるモータ側駆動力指令値算出部１０１Ｂは、乗り心地制御ブロック３６が備えるモータ側駆動力指令値算出部１０１Ａと共用してもよく、また、別個の構成としてもよい。
エンジン側駆動力指令値算出部１０２Ｂは、操縦安定性制御側制駆動力配分比算出部１１０から入力を受けた操縦安定性制御側制駆動力配分比信号が含む操縦安定性制御側制駆動力配分比を参照する。そして、操縦安定性制御側制駆動力配分比のうち、車輪Ｗの駆動力が含む、エンジン３０Ｂで発生させる駆動力の配分比を取得する。
【０１２６】
次に、取得した配分比に基づいて操縦安定性制御側エンジン駆動力指令値を算出し、この算出した操縦安定性制御側エンジン駆動力指令値を、エンジン駆動トルク補正値に換算する。さらに、この換算したエンジン駆動トルク補正値を含む情報信号である駆動指令信号を、動力コントロールユニット２８へ出力する。なお、操縦安定性制御ブロック３８が備えるエンジン側駆動力指令値算出部１０２Ｂは、乗り心地制御ブロック３６が備えるエンジン側駆動力指令値算出部１０２Ａと共用してもよく、また、別個の構成としてもよい。
なお、操縦安定性制御側モータ駆動力指令値をモータ駆動トルク補正値に換算する処理と、操縦安定性制御側エンジン駆動力指令値をエンジン駆動トルク補正値に換算する処理の説明は、後述する。
【０１２７】
ここで、操縦安定性制御側駆動力指令値は、操縦安定性制御側制駆動力配分比算出部１１０が算出した車輪Ｗの駆動力の配分比に基づくフリクションをサスペンションＳＰに発生させるための、車輪Ｗに対する駆動力の最終指令値（車輪Ｗの駆動力の指令値）である。また、操縦安定性制御側駆動力指令値は、後述するように、車両Ｖの操縦に関する挙動（ピッチ挙動、ロール挙動）を抑制するためのフリクションを各サスペンションＳＰに発生させるための、車輪Ｗに対する駆動力の最終指令値となる。
【０１２８】
（乗り心地制御側制駆動力配分比算出部９８が乗り心地制御側制駆動力配分比を算出する処理、操縦安定性制御側制駆動力配分比算出部１１０が操縦安定性制御側制駆動力配分比を算出する処理）
以下、図１から図１４を参照しつつ、図１５から図１７を用いて、乗り心地制御側制駆動力配分比算出部９８が乗り心地制御側制駆動力配分比を算出する処理について説明する。なお、操縦安定性制御側制駆動力配分比算出部１１０が操縦安定性制御側制駆動力配分比を算出する処理も同様であるため、以下の説明では、乗り心地制御側制駆動力配分比算出部９８が乗り心地制御側制駆動力配分比を算出する処理のみを記載する。
【０１２９】
まず、図１５中に示す制御テーブルに、運転者の操作により選択した走行モードと、乗り心地制御用各輪目標フリクション及び操縦安定性制御用各輪目標フリクションに基づく目標フリクションを入力する。なお、図１５は、制駆動力配分比の算出に用いる制御テーブルを示す図である。
ここで、運転者の操作により選択した走行モードは、走行モード選択スイッチ１７が出力した走行モード選択信号を参照して検出する。また、図１５中に示す目標フリクションの大きさである「小」、「中」、「大」の値は、それぞれ、例えば、車両Ｖの諸元や現在の車速等に応じて設定する。
そして、制御テーブルに走行モードと目標フリクションを入力した結果に基づき、駆動力フリクション及び制動力フリクションのうち発生対象のフリクションを設定する。これに加え、駆動力フリクションの発生源を設定する。
【０１３０】
・「通常」モードにおける処理
目標フリクションが「小」である場合は、発生対象のフリクションとして、駆動力フリクションのみを設定し、駆動力フリクションの発生源として、駆動用モータ３０Ａを設定する。これにより、エンジン３０Ｂよりも応答性が高く、また、分解能の高い駆動用モータ３０Ａを用いて、車体の挙動を抑制するためのフリクションを発生させる制御を行なう。
目標フリクションが「中」である場合は、発生対象のフリクションとして、制動力フリクションのみを設定する。これにより、電力を消費する駆動用モータ３０Ａや燃料を消費するエンジン３０Ｂを使用せずに、車体の挙動を抑制するためのフリクションを発生させる制御を行なう。
【０１３１】
目標フリクションが「大」である場合は、発生対象のフリクションとして、駆動力フリクション及び制動力フリクションを設定する。これに加え、駆動力フリクションの発生源として、エンジン３０Ｂを設定する。この場合、制動力フリクションによる制御を主制御とし、エンジンフリクションによる制御を補助制御とすることにより、制動力フリクションによる制御による不足分をエンジンフリクションによる制御により補正する。
【０１３２】
・「燃費重視」モードにおける処理
目標フリクションが「小」である場合は、発生対象のフリクションとして、駆動力フリクションのみを設定し、駆動力フリクションの発生源として、駆動用モータ３０Ａを設定する。これにより、「通常」モードにおける処理と同様、エンジン３０Ｂよりも応答性が高く、また、分解能の高い駆動用モータ３０Ａを用いて、車体の挙動を抑制するためのフリクションを発生させる制御を行なう。
【０１３３】
目標フリクションが「中」である場合は、発生対象のフリクションとして、駆動力フリクション及び制動力フリクションを設定する。これに加え、駆動力フリクションの発生源として、駆動用モータ３０Ａを設定する。この場合、モータフリクションによる制御を主制御とし、制動力フリクションによる制御を補助制御とすることにより、モータフリクションによる制御による不足分を制動力フリクションによる制御により補正する。これにより、摩擦によるエネルギー消費の大きい摩擦ブレーキの使用量よりも、駆動用モータ３０Ａの使用量を増加させる。
【０１３４】
目標フリクションが「大」である場合は、発生対象のフリクションとして、駆動力フリクション及び制動力フリクションを設定する。これに加え、駆動力フリクションの発生源として、駆動用モータ３０Ａ及びエンジン３０Ｂを設定する。
この場合、モータフリクションによる制御を主制御とし、制動力フリクションによる制御を補助制御とする。さらに、エンジンフリクションによる制御を、制動力フリクションによる制御の補助制御とする。これにより、モータフリクションによる制御による不足分を制動力フリクションによる制御により補正し、さらに、モータフリクション及び制動力フリクションによる制御による不足分を、エンジンフリクションによる制御により補正する。したがって、摩擦によるエネルギー消費の大きい摩擦ブレーキの使用量や、燃料を消費するエンジン３０Ｂの使用量よりも、駆動用モータ３０Ａの使用量を増加させる。
【０１３５】
・「性能重視」モードにおける処理
目標フリクションが「小」である場合は、発生対象のフリクションとして、駆動力フリクションのみを設定し、駆動力フリクションの発生源として、駆動用モータ３０Ａを設定する。これにより、「通常」モードにおける処理と同様、エンジン３０Ｂよりも応答性が高く、また、分解能の高い駆動用モータ３０Ａを用いて、車体の挙動を抑制するためのフリクションを発生させる制御を行なう。
【０１３６】
目標フリクションが「中」である場合は、発生対象のフリクションとして、駆動力フリクション及び制動力フリクションを設定する。これに加え、駆動力フリクションの発生源として、駆動用モータ３０Ａを設定する。この場合、制動力フリクションによる制御を主制御とし、モータフリクションによる制御を補助制御とすることにより、制動力フリクションによる制御による不足分をモータフリクションによる制御により補正する。これにより、制動力フリクションによる簡素な制御を、より精密な制御が可能なモータフリクションにより補正して、運転者の要求に応じた精密な制御を行なう。
【０１３７】
目標フリクションが「大」である場合は、発生対象のフリクションとして、駆動力フリクション及び制動力フリクションを設定する。これに加え、駆動力フリクションの発生源として、駆動用モータ３０Ａ及びエンジン３０Ｂを設定する。
この場合、制動力フリクションによる制御を主制御とし、エンジンフリクションによる制御を補助制御とする。さらに、エンジンフリクションによる制御を、モータフリクションによる制御の補助制御とする。これにより、制動力フリクションによる簡素な制御の不足分をエンジンフリクションによる制御により補正し、さらに、より精密な制御が可能なモータフリクションにより補正して、運転者の要求に応じた精密な制御を行なう。
なお、例えば、バッテリの充電状態であるバッテリＳＯＣの低下時等には、駆動力フリクションの発生源として駆動用モータ３０Ａを設定しない処理を行う。
【０１３８】
次に、制動力によるフリクション及び駆動力によるフリクションのうち少なくとも一方を発生させるサスペンションＳＰに対し、過不足分のフリクションのうち、制動力によるフリクションと駆動力によるフリクションの配分比を算出する。なお、以降の説明では、上記の制動力によるフリクションを、「乗り心地制御用制動力フリクション」と記載する場合がある。同様に、以降の説明では、上記の駆動力によるフリクションを、「乗り心地制御用駆動力フリクション」と記載する場合がある。
【０１３９】
乗り心地制御用制動力フリクションは、過不足分のフリクションを、例えば、乗り心地制御側制駆動力配分比算出部９８が予め記憶している制動力側挙動制御用フリクション算出マップに適合させて算出する。
ここで、制動力側挙動制御用フリクション算出マップは、図１６中に示すように、横軸に車輪Ｗの制動力（図中では、「制動力」と示す）を示し、縦軸に過不足分のフリクション（図中では、「フリクション」と示す）を示すマップである。また、制動力側挙動制御用フリクション算出マップ中に示す制動力とフリクションとの関係は、車輪Ｗの制動力と車両Ｖの挙動との関連に応じて、その関係度合いが変化する。具体的には、車輪Ｗの制動力が増加しても、車両Ｖの挙動が急制動とならない限界値に近づくほど、車輪Ｗの制動力は、その増加度合いが減少する。なお、図１６は、制動力側挙動制御用フリクション算出マップを示す図である。
【０１４０】
また、乗り心地制御用制動力フリクションは、車輪Ｗの制動力に、制動力側挙動制御用フリクション算出マップ中に示す係数Ｋｂを乗算した値である。ここで、係数Ｋｂは、車輪Ｗの制動力が予め設定した制動力の限界値であるＦｂ＿ｍａｘ以下の領域における、車輪Ｗの制動力と過不足分のフリクションとの関係を示す傾きである。なお、Ｆｂ＿ｍａｘは、車輪Ｗの制動力が増加しても、車両Ｖの挙動が急制動とならない限界値に基づき、予め、台上走行や路上走行等で計測したデータを用いて設定する。
乗り心地制御用駆動力フリクションは、過不足分のフリクションを、例えば、乗り心地制御側制駆動力配分比算出部９８が予め記憶している駆動力側挙動制御用フリクション算出マップに適合させて算出する。
【０１４１】
ここで、駆動力側挙動制御用フリクション算出マップは、図１７中に示すように、横軸に車輪Ｗの駆動力（図中では、「駆動力」と示す）を示し、縦軸に過不足分のフリクション（図中では、「フリクション」と示す）を示すマップである。また、駆動力側挙動制御用フリクション算出マップ中に示す駆動力とフリクションとの関係は、車輪Ｗの駆動力と車両Ｖの挙動との関連に応じて、その関係度合いが変化する。具体的には、車輪Ｗの駆動力が増加しても、車両Ｖの挙動が急加速とならない限界値に近づくほど、車輪Ｗの駆動力は、その増加度合いが減少する。なお、図１７は、駆動力側挙動制御用フリクション算出マップを示す図である。
【０１４２】
また、乗り心地制御用駆動力フリクションは、車輪Ｗの駆動力に、駆動力側挙動制御用フリクション算出マップ中に示す係数Ｋａを乗算した値である。ここで、係数Ｋａは、車輪Ｗの駆動力が予め設定した駆動力の限界値であるＦａ＿ｍａｘ以下の領域における、車輪Ｗの駆動力と過不足分のフリクションとの関係を示す傾きである。なお、Ｆａ＿ｍａｘは、車輪Ｗの駆動力が増加しても、車両Ｖの挙動が急加速とならない限界値に基づき、予め、台上走行や路上走行等で計測したデータを用いて設定する。
【０１４３】
また、乗り心地制御側制駆動力配分比算出部９８が乗り心地制御側制駆動力配分比を算出する際には、例えば、車輪Ｗの制動力が、車輪Ｗの駆動力以上となるように、乗り心地制御側制駆動力配分比を算出する処理を行う。
具体例としては、以下の式（１）から（３）が成立している状態では、過不足分のフリクションと、車輪Ｗの制動力と、車輪Ｗの駆動力との関係を、以下の式（４）で示す関係とする。
過不足分のフリクション＜  Ｋｂ×Ｆｂ＿ｍａｘ＋Ｋａ×Ｆａ＿ｍａｘ  …  （１）
車輪Ｗの制動力＜Ｆｂ＿ｍａｘ  …  （２）
車輪Ｗの駆動力＜Ｆａ＿ｍａｘ  …  （３）
車輪Ｗの制動力＝車輪Ｗの駆動力＝  過不足分のフリクション／Ｋｂ＋Ｋａ
…  （４）
【０１４４】
また、定常旋回時等、車両Ｖの減速度を「±０」に近づける処理を行う場合には、以下の式（５）が成立している状態において、車輪Ｗの駆動力を、以下の式（６）で示す関係とする。そして、過不足分のフリクションと車輪Ｗの制動力との関係を、以下の式（７）で示す関係とする。
車輪Ｗの駆動力＞Ｆａ＿ｍａｘ  …  （５）
車輪Ｗの駆動力＝Ｆａ＿ｍａｘ  …  （６）
車輪Ｗの制動力＝過不足分のフリクション−Ｆａ＿ｍａｘ／Ｋｂ  …  （７）
【０１４５】
以上により、乗り心地制御側制駆動力配分比算出部９８は、定常旋回時等、車両Ｖの減速度を「±０」に近づける処理を行う場合には、乗り心地制御側制駆動力配分比を、車輪Ｗの制動力と車輪Ｗの駆動力が均等となるように算出する。
以上により、本実施形態の乗り心地制御側制駆動力配分比算出部９８は、フリクション発生源を選択する処理と、乗り心地制御側制駆動力配分比を算出する処理を行なう。
【０１４６】
ここで、フリクション発生源としては、摩擦ブレーキ（ブレーキアクチュエータ２６）、駆動用モータ３０Ａ及びエンジン３０Ｂのうち少なくとも一つを選択する。また、フリクション発生源を選択する処理と、乗り心地制御側制駆動力配分比を算出する処理は、挙動を抑制するためのフリクションである目標フリクションと、運転者の操作により選択した走行モードに応じて行なう。
【０１４７】
また、本実施形態の乗り心地制御側制駆動力配分比算出部９８は、運転者の操作により選択した走行モードが燃費重視モードであると、フリクション発生源として少なくとも駆動用モータ３０Ａを選択する処理を行う。これに加え、フリクション発生源として摩擦ブレーキ及びエンジン３０Ｂのうち少なくとも一方も選択した場合は、駆動用モータ３０Ａによる駆動力の配分比を他の配分比よりも大きくして、乗り心地制御側制駆動力配分比を算出する処理を行う。
【０１４８】
さらに、本実施形態の乗り心地制御側制駆動力配分比算出部９８は、運転者の操作により選択した走行モードが性能重視モードであると、フリクション発生源として少なくとも駆動用モータ３０Ａを選択する処理を行う。これに加え、駆動用モータ３０Ａ以外のフリクション発生源により発生させるフリクションを、駆動用モータ３０Ａにより発生させるフリクションで補正するように、乗り心地制御側制駆動力配分比を算出する処理を行う。このように乗り心地制御側制駆動力配分比を算出する処理は、フリクション発生源として摩擦ブレーキ及びエンジン３０Ｂのうち少なくとも一方も選択した場合に行なう。
なお、上記の処理は、操縦安定性制御側制駆動力配分比算出部１１０も同様である。
【０１４９】
（制動力指令値を指令液圧に換算する処理）
以下、図１から図１７を参照しつつ、図１８を用いて、制動力指令値を指令液圧に換算する処理について説明する。
制動力指令値を指令液圧に換算する際には、制動力指令値を、例えば、乗り心地制御ブロック３６が備える制動力指令値算出部１００Ａが予め記憶している指令液圧換算マップに適合させる。
【０１５０】
ここで、指令液圧換算マップは、図１８中に示すように、横軸に制動力指令値を示し、縦軸に指令液圧を示すマップである。なお、図１８は、指令液圧換算マップを示す図である。
また、指令液圧は、以下の式（８）で算出してもよい。
指令液圧＝（制動力指令値［Ｎ］×タイヤ動半径［ｍ］）
／（４×パッドμ×パッド面積×有効径）  …  （８）
【０１５１】
（駆動力指令値を駆動トルク補正値に換算する処理）
以下、図１から図１８を参照しつつ、図１９を用いて、駆動力指令値を駆動トルク補正値に換算する処理について説明する。
駆動力指令値を駆動トルク補正値に換算する際には、駆動力指令値を、例えば、乗り心地制御ブロック３６が備えるエンジン側駆動力指令値算出部１０２Ａが予め記憶している駆動トルク補正値換算マップに適合させる。なお、乗り心地制御ブロック３６が備えるモータ側駆動力指令値算出部１０１Ａも、エンジン側駆動力指令値算出部１０２Ａと同様の駆動トルク補正値換算マップを予め記憶しているが、その説明は省略する。
【０１５２】
ここで、駆動トルク補正値換算マップは、図１９中に示すように、横軸に駆動力指令値を示し、縦軸に駆動トルク補正値を示すマップである。なお、図１９は、駆動トルク補正値換算マップを示す図である。
また、駆動トルク補正値は、以下の式（９）で算出してもよい。
駆動トルク補正値＝（駆動力指令値［Ｎ］×タイヤ動半径［ｍ］）  …  （９）
【０１５３】
（動作）
次に、図１から図１９を参照しつつ、図２０から図２３を用いて、本実施形態の車両挙動制御装置１を用いて行なう動作の一例を説明する。
図２０は、車両挙動制御装置１を用いて行なう動作のフローチャートである。なお、車両挙動制御装置１は、予め設定したサンプリング時間（例えば、５０［ｍｓｅｃ］）毎に、以下に説明する処理を行う。
図２０中に示すように、車両挙動制御装置１が処理を開始（ＳＴＡＲＴ）すると、まず、ステップＳ１００において、フリクション検出ブロック３４で総フリクションを算出する処理（図中に示す「推定フリクション算出」）を行う。ステップＳ１００において総フリクションを算出する処理を行うと、車両挙動制御装置１が行なう処理は、ステップＳ１０２へ移行する。
【０１５４】
なお、ステップＳ１００では、例えば、制動力フリクション算出部４８により制動力フリクションを算出する処理と、駆動力フリクション算出部５０により駆動力フリクションを算出する処理を行う。これに加え、ステップＳ１００では、例えば、サスペンション状態フリクション算出部５２によりストローク位置フリクション及びストローク速度フリクションを算出する処理を行う。さらに、ステップＳ１００では、例えば、各輪フリクションサスペンション横力算出部４６により横力フリクションを算出する処理と、上記の算出した各種フリクションを総フリクションへ加算する演算を許可するか否かを判定する処理を行う。
【０１５５】
また、ステップＳ１００の処理は、予め、車両Ｖの状態を示す情報（各加速度、ヨーレート、現在操舵角等の情報）を取得する処理と、車両Ｖの挙動（各車輪Ｗの制動力、駆動力等の挙動）を算出する処理を行った状態で実施してもよい。
ステップＳ１０２では、乗り心地制御側目標フリクション算出部９６で乗り心地制御用各輪目標フリクションを算出し、操縦安定性制御側目標フリクション算出部１０８で操縦安定性制御用各輪目標フリクションを算出する。これにより、ステップＳ１０２では、目標フリクションを算出する処理（図中に示す「目標フリクション算出」）を行なう。ステップＳ１０２において、目標フリクションを算出する処理を行うと、車両挙動制御装置１が行なう処理は、ステップＳ１０４へ移行する。
【０１５６】
ステップＳ１０４では、乗り心地制御側制駆動力配分比算出部９８により、乗り心地制御側制駆動力配分比を算出し、操縦安定性制御側制駆動力配分比算出部１１０により、操縦安定性制御側制駆動力配分比を算出する。これに加え、ステップＳ１０４では、乗り心地制御側制駆動力配分比信号を、制動力指令値算出部１００Ａ、モータ側駆動力指令値算出部１０１Ａ及びエンジン側駆動力指令値算出部１０２Ａへ出力する。さらに、ステップＳ１０４では、操縦安定性制御側制駆動力配分比信号を、制動力指令値算出部１００Ｂ、モータ側駆動力指令値算出部１０１Ｂ及びエンジン側駆動力指令値算出部１０２Ｂへ出力する。これにより、ステップＳ１０４では、制駆動力配分比を演算する処理（図中に示す「制駆動力配分比演算」）を行なう。ステップＳ１０４において、制駆動力配分比を演算する処理を行うと、車両挙動制御装置１が行なう処理は、ステップＳ１０６へ移行する。
なお、ステップＳ１０４で行なう具体的な処理についての説明は、後述する。
【０１５７】
ステップＳ１０６では、エンジン側駆動力指令値算出部１０２Ａ及びエンジン側駆動力指令値算出部１０２Ｂにより、駆動力指令値を算出する処理（図中に示す「エンジン駆動力指令値算出」）を行なう。さらに、ステップＳ１０６では、駆動力指令値を動力コントロールユニット２８へ出力する処理を行う。ステップＳ１０６において、駆動力指令値の算出及び出力を行なうと、車両挙動制御装置１が行なう処理は、ステップＳ１０８へ移行する。
【０１５８】
ステップＳ１０８では、モータ側駆動力指令値算出部１０１Ａ及びモータ側駆動力指令値算出部１０１Ｂにより、駆動力指令値を算出する処理（図中に示す「モータ駆動力指令値算出」）を行なう。さらに、ステップＳ１０８では、ステップＳ１０６と同様、駆動力指令値を動力コントロールユニット２８へ出力する処理を行う。ステップＳ１０８において、駆動力指令値の算出及び出力を行なうと、車両挙動制御装置１が行なう処理は、ステップＳ１１０へ移行する。
【０１５９】
なお、ステップＳ１０６の処理と、ステップＳ１０８の処理は、逆の順番で行なってもよい。
ステップＳ１１０では、制動力指令値算出部１００Ａ及び制動力指令値算出部１００Ｂにより、制動力指令値を算出する処理（図中に示す「制動力指令値算出」）を行なう。さらに、ステップＳ１１０では、制動力指令値をブレーキアクチュエータ２６へ出力する処理を行う。ステップＳ１１０において、制動力指令値の算出及び出力を行うと、車両挙動制御装置１が行なう処理を終了（ＥＮＤ）する。
【０１６０】
次に、図１から図２０を参照しつつ、図２１及び図２２を用いて、ステップＳ１０４で行なう具体的な処理を説明する。
図２１は、車両挙動制御装置１を用いて行なう動作のフローチャートであり、制駆動力配分比を算出する処理を示すフローチャートである。
図２１中に示すように、制駆動力配分比を算出する処理を開始（ＳＴＡＲＴ）すると、まず、ステップＳ２００の処理を行う。
ステップＳ２００では、全ての車輪Ｗに対し、目標フリクション（乗り心地制御用各輪目標フリクション、操縦安定性制御用各輪目標フリクション）が「０」であるか否かを判定する処理（図中に示す「四輪目標フリクション＝０？」）を行う。
【０１６１】
ステップＳ２００において、全ての車輪Ｗの目標フリクションが「０」である（図中に示す「Ｙｅｓ」）と判定した場合、制駆動力配分比を算出する処理は、ステップＳ２０２へ移行する。
一方、ステップＳ２００において、全ての車輪Ｗのうち少なくとも一つの車輪Ｗの目標フリクションが「０」ではない（図中に示す「Ｎｏ」）と判定した場合、制駆動力配分比を算出する処理は、ステップＳ２０４へ移行する。
【０１６２】
ステップＳ２０２では、車体の挙動を抑制するためのフリクションを発生させる制御のモード（抑制制御モード）を設定する処理（図中に示す「抑制制御モード設定処理」）を行う。ステップＳ２０２において、抑制制御モードを設定する処理を行うと、制駆動力配分比を算出する処理は、ステップＳ２０４へ移行する。
ここで、図１から図２１を参照しつつ、図２２を用いて、ステップＳ２０２で行なう具体的な処理について説明する。
【０１６３】
図２２は、車両挙動制御装置１を用いて行なう動作のフローチャートであり、抑制制御モードを設定する処理を示すフローチャートである。
図２２中に示すように、抑制制御モードを設定する処理を開始（ＳＴＡＲＴ）すると、まず、ステップＳ３００の処理を行う。
ステップＳ３００では、走行モード選択スイッチ１７が出力した走行モード選択信号に基づき、運転者が選択した走行モードを取得する処理（図中に示す「ドライバ選択モード取得」）を行う。ステップＳ３００において、運転者が選択した走行モード（「通常モード」、「燃費重視モード」、「性能重視モード」のいずれか）を取得する処理を行うと、抑制制御モードを設定する処理は、ステップＳ３０２へ移行する。
【０１６４】
ステップＳ３０２では、車両Ｖの状態のうち、駆動用モータ３０Ａが駆動力を発生可能か否かの判定に用いる状態（例えば、バッテリＳＯＣ、駆動用モータ３０Ａの温度）を取得する処理（図中に示す「車両状態取得」）を行う。ステップＳ３０２において、駆動用モータ３０Ａが駆動力を発生可能か否かの判定に用いる車両Ｖの状態を取得する処理を行うと、抑制制御モードを設定する処理は、ステップＳ３０４へ移行する。
【０１６５】
ステップＳ３０４では、ステップＳ３００で取得した走行モードに基づき、運転者が選択した走行モードが「燃費重視モード」であるか否かを判定する処理（図中に示す「燃費重視モード選択？」）を行う。
ステップＳ３０４において、運転者が選択した走行モードが「燃費重視モード」である（図中に示す「Ｙｅｓ」）と判定した場合、抑制制御モードを設定する処理は、ステップＳ３０６へ移行する。
【０１６６】
一方、ステップＳ３０４において、運転者が選択した走行モードが「燃費重視モード」ではない（図中に示す「Ｎｏ」）と判定した場合、抑制制御モードを設定する処理は、ステップＳ３０８へ移行する。
ステップＳ３０６では、ステップＳ３０２で取得した車両Ｖの状態に基づき、駆動用モータ３０Ａが駆動力を発生可能か否かを判定する処理（図中に示す「モータ駆動力発生可能？」）を行う。
【０１６７】
ステップＳ３０６において、駆動用モータ３０Ａが駆動力を発生可能である（図中に示す「Ｙｅｓ」）と判定した場合、抑制制御モードを設定する処理は、ステップＳ３１０へ移行する。なお、駆動用モータ３０Ａが駆動力を発生可能であるとの判定は、例えば、バッテリＳＯＣが、駆動用モータ３０Ａを作動させるために十分な値であるとともに、駆動用モータ３０Ａの温度が、駆動用モータ３０Ａの使用に適切な温度以下である場合に行なう。
一方、ステップＳ３０６において、駆動用モータ３０Ａが駆動力を発生可能ではない（図中に示す「Ｎｏ」）と判定した場合、抑制制御モードを設定する処理は、ステップＳ３１２へ移行する。
【０１６８】
ステップＳ３０８では、ステップＳ３００で取得した走行モードに基づき、運転者が選択した走行モードが「性能重視モード」であるか否かを判定する処理（図中に示す「性能重視モード選択？」）を行う。
ステップＳ３０８において、運転者が選択した走行モードが「性能重視モード」である（図中に示す「Ｙｅｓ」）と判定した場合、抑制制御モードを設定する処理は、ステップＳ３１４へ移行する。
【０１６９】
一方、ステップＳ３０８において、運転者が選択した走行モードが「性能重視モード」ではない（図中に示す「Ｎｏ」）と判定した場合、抑制制御モードを設定する処理は、ステップＳ３１６へ移行する。
ステップＳ３１０では、抑制制御モードを、モータフリクションによる制御による不足分を制動力フリクションによる制御により補正するモードに設定する処理（図中に示す「Ｍｏｔ主体モード」）を行う。ステップＳ３１０において、抑制制御モードを、モータフリクションによる制御による不足分を制動力フリクションによる制御により補正するモードに設定する処理を行うと、抑制制御モードを設定する処理を終了（ＥＮＤ）する。
【０１７０】
ステップＳ３１２では、抑制制御モードを、制動力フリクションのみを用いるモードに設定する処理（図中に示す「Ｂｒｋモード」）を行う。ステップＳ３１２において、抑制制御モードを、制動力フリクションのみを用いるモードに設定する処理を行うと、抑制制御モードを設定する処理を終了（ＥＮＤ）する。
ステップＳ３１４では、ステップＳ３０２で取得した車両Ｖの状態に基づき、駆動用モータ３０Ａが駆動力を発生可能か否かを判定する処理（図中に示す「モータ駆動力発生可能？」）を行う。
【０１７１】
ステップＳ３１４において、駆動用モータ３０Ａが駆動力を発生可能である（図中に示す「Ｙｅｓ」）と判定した場合、抑制制御モードを設定する処理は、ステップＳ３１８へ移行する。
一方、ステップＳ３１４において、駆動用モータ３０Ａが駆動力を発生可能ではない（図中に示す「Ｎｏ」）と判定した場合、抑制制御モードを設定する処理は、ステップＳ３２０へ移行する。
【０１７２】
ステップＳ３１６では、抑制制御モードを、制動力フリクションによる制御による不足分をエンジンフリクションによる制御により補正するモードに設定する処理（図中に示す「Ｂｒｋ主体モード」）を行う。ステップＳ３１６において、抑制制御モードを、制動力フリクションによる制御による不足分をエンジンフリクションによる制御により補正するモードに設定する処理を行うと、抑制制御モードを設定する処理を終了（ＥＮＤ）する。
【０１７３】
ステップＳ３１８では、抑制制御モードを、制動力フリクション、モータフリクション及びエンジンフリクションを用いるモードに設定する処理（図中に示す「ＡＬＬモード」）を行う。ステップＳ３１８において、抑制制御モードを、制動力フリクション、モータフリクション及びエンジンフリクションを用いるモードに設定する処理を行うと、抑制制御モードを設定する処理を終了（ＥＮＤ）する。
【０１７４】
ステップＳ３２０では、抑制制御モードを、制動力フリクションによる制御による不足分をエンジンフリクションによる制御により補正するモードに設定する処理（図中に示す「Ｂｒｋ主体モード」）を行う。ステップＳ３２０において、抑制制御モードを、制動力フリクションによる制御による不足分をエンジンフリクションによる制御により補正するモードに設定する処理を行うと、抑制制御モードを設定する処理を終了（ＥＮＤ）する。
【０１７５】
以下、図２１を用いた説明に復帰する。
ステップＳ２０４では、抑制制御モードが、四種類のモード（「Ｍｏｔ主体モード」、「Ｂｒｋモード」、「Ｂｒｋ主体モード」、「ＡＬＬモード」）のうち、いずれのモードに設定されているかを判定する処理（図中に示す「抑制制御モード？」）を行う。
ここで、ステップＳ２００からステップＳ２０２の処理を経由して、ステップＳ２０４の処理を行う場合、ステップＳ２０２で設定した抑制制御モードを参照して、ステップＳ２０４の処理を行う。
一方、ステップＳ２００からステップＳ２０２の処理を経由せずに、ステップＳ２０４の処理を行う場合、前回の処理で設定した抑制制御モードを参照して、ステップＳ２０４の処理を行う。
【０１７６】
ステップＳ２０４において、抑制制御モードが「Ｂｒｋ主体モード」に設定されている（図中に示す「Ｂｒｋ主体モード」）と判定した場合、制駆動力配分比を算出する処理は、ステップＳ２０６へ移行する。
また、ステップＳ２０４において、抑制制御モードが「Ｂｒｋモード」に設定されている（図中に示す「Ｂｒｋモード」）と判定した場合、制駆動力配分比を算出する処理は、ステップＳ２０８へ移行する。
【０１７７】
また、ステップＳ２０４において、抑制制御モードが「ＡＬＬモード」に設定されている（図中に示す「ＡＬＬモード」）と判定した場合、制駆動力配分比を算出する処理は、ステップＳ２１０へ移行する。
また、ステップＳ２０４において、抑制制御モードが「Ｍｏｔ主体モード」に設定されている（図中に示す「Ｍｏｔ主体モード」）と判定した場合、制駆動力配分比を算出する処理は、ステップＳ２１２へ移行する。
【０１７８】
ステップＳ２０６では、制動力フリクションによる制御による不足分をエンジンフリクションによる制御により補正して、制駆動力配分比を演算する処理（図中に示す「Ｂｒｋ主体モード」）を行う。ステップＳ２０６において、制動力フリクションによる制御による不足分をエンジンフリクションによる制御により補正して、制駆動力配分比を演算する処理を行うと、制駆動力配分比を算出する処理を終了（ＥＮＤ）する。
ステップＳ２０８では、制動力フリクションのみを用いて制駆動力配分比を演算する処理（図中に示す「Ｂｒｋモード」）を行う。ステップＳ２０８において、制動力フリクションのみを用いて制駆動力配分比を演算する処理を行うと、制駆動力配分比を算出する処理を終了（ＥＮＤ）する。
【０１７９】
ステップＳ２１０では、制動力フリクション、モータフリクション及びエンジンフリクションを用いて制駆動力配分比を演算する処理（図中に示す「ＡＬＬモード」）を行う。ステップＳ２１０において、制動力フリクション、モータフリクション及びエンジンフリクションを用いて制駆動力配分比を演算する処理を行うと、制駆動力配分比を算出する処理を終了（ＥＮＤ）する。
ステップＳ２１２では、モータフリクションによる制御による不足分を制動力フリクションによる制御により補正して、制駆動力配分比を演算する処理（図中に示す「Ｍｏｔ主体モード」）を行う。ステップＳ２１２において、モータフリクションによる制御による不足分を制動力フリクションによる制御により補正して、制駆動力配分比を演算する処理を行うと、制駆動力配分比を算出する処理を終了（ＥＮＤ）する。
【０１８０】
次に、図１から図２２を参照しつつ、図２３を用いて、車両挙動制御装置１が行なう処理の具体例を、タイムチャートを用いて説明する。なお、図２３は、車両Ｖの走行中において、車両挙動制御装置１が行なう処理を示すタイムチャートである。また、図２３（ａ）は、目標フリクションの変化と、抑制制御モードの変化を示す図である。また、図２３（ｂ）は、モータフリクションの変化と、エンジンフリクションの変化と、制動力フリクションの変化を示す図である。なお、図２３（ａ）中に示す縦軸の目盛りと、図２３（ｂ）中に示す縦軸の目盛りは、一目盛りあたりのフリクション量が同値である。
【０１８１】
なお、図２３（ａ）中に示すタイムチャートでは、目標フリクションの変化を実線「ＴＦ」と記号「◇」で示し、抑制制御モードの変化を実線「Ｍｏｄｅ」と記号「□」で示す。また、図２３（ｂ）中に示すタイムチャートでは、モータフリクションの変化を実線「ＴＦ＿Ｍｏｔ」と記号「△」で示し、エンジンフリクションの変化を実線「ＴＦ＿Ｅｎｇ」と記号「×」で示す。さらに、図２３（ｂ）中に示すタイムチャートでは、制動力フリクションの変化を実線「ＴＦ＿Ｂｒｋ」と記号「○」で示す。
【０１８２】
なお、図２３中に示すタイムチャートは、抑制制御モードを、モータフリクションによる制御による不足分を制動力フリクションによる制御により補正する「Ｍｏｔ主体モード」に設定した状態から開始する。
また、図２３中に示すタイムチャートには、抑制制御モードを、「Ｍｏｔ主体モード」、「ＡＬＬモード」、「Ｂｒｋモード」、「Ｂｒｋ主体モード」の順番で変更する状態を示す。
【０１８３】
タイムチャートを開始した後、抑制制御モードを「Ｍｏｔ主体モード」に設定している状態（図中に示す「ｔ１」の時点まで）では、モータフリクションのみで、目標フリクションを発生させる。これにより、エンジン３０Ｂよりも応答性が高く、また、分解能の高い駆動用モータ３０Ａを用いて、車体の挙動を抑制するためのフリクションを発生させるとともに、摩擦によるエネルギー消費と、エンジン３０Ｂの使用による燃料の消費を抑制する。
抑制制御モードを「ＡＬＬモード」に設定している状態（図中に示す「ｔ２」から「ｔ３」の間）では、エンジンフリクションと、モータフリクション及び制動力フリクションにより、目標フリクションを発生させる。
【０１８４】
ここで、図２３（ｂ）中に示すように、エンジンフリクションを、モータフリクション及び制動力フリクションよりも大きくすることにより、走行中の車両Ｖに運転者が意図しない減速が発生することを防止する。これにより、車両Ｖの乗員が違和感を受ける可能性を減少させることが可能となる。
抑制制御モードを「Ｂｒｋモード」に設定している状態（図中に示す「ｔ４」から「ｔ５」の間）では、制動力フリクションのみにより、目標フリクションを発生させる。これにより、駆動用モータ３０Ａによる電力の消費と、エンジン３０Ｂによる燃料の消費を抑制するとともに、目標フリクションを発生させる。
【０１８５】
抑制制御モードを「Ｂｒｋ主体モード」に設定している状態（図中に示す「ｔ６」以降）では、エンジンフリクションと、制動力フリクションにより、目標フリクションを発生させる。
ここで、図２３（ｂ）中に示すように、エンジンフリクションを制動力フリクションよりも大きくすることにより、走行中の車両Ｖに運転者が意図しない減速が発生することを防止して、車両Ｖの乗員が違和感を受ける可能性を減少させることが可能となる。
なお、上述した走行モード選択スイッチ１７、制駆動力コントローラ２０、ステップＳ３００は、走行モード検出部に対応する。
また、上述したブレーキアクチュエータ２６、マスタシリンダ２４、各ホイールシリンダ３２は、制動力付与部に対応する。
【０１８６】
ここで、本実施形態の制動力付与部は、上述したように、運転者による制動力要求の制御に応じた制動力及び車両Ｖのシステム制御に応じた制動力に、制動力指令値に基づく制動力を合算して、車輪Ｗに制動力を付与する。
なお、運転者による制動力要求の制御に応じた制動力とは、運転者によるブレーキペダル２２の操作に応じて制御する制動力である。また、車両Ｖのシステム制御に応じた制動力とは、例えば、上述した先行車追従走行制御や車線維持走行制御等に応じて制御する制動力である。
【０１８７】
また、上述した動力コントロールユニット２８、動力ユニット３０は、駆動力付与部に対応する。
ここで、本実施形態の駆動力付与部は、上述したように、運転者による駆動力要求の制御に応じた駆動力及び車両Ｖのシステム制御に応じた駆動力に、駆動力指令値に基づく駆動力を合算して、車輪Ｗに制動力を付与する。
【０１８８】
なお、運転者による駆動力要求の制御に応じた駆動力とは、運転者によるアクセルペダルの操作に応じて制御する駆動力である。また、車両Ｖのシステム制御に応じた駆動力とは、例えば、上述した先行車追従走行制御や車線維持走行制御等に応じて制御する駆動力である。
また、上述したサスペンション状態算出部４４は、ストローク位置算出部と、ストローク速度算出部に対応する。
また、上述したサスペンション状態フリクション算出部５２は、ストローク位置フリクション算出部と、ストローク速度フリクション算出部に対応する。
【０１８９】
また、上述したように、本実施形態の車両挙動制御装置１の動作で実施する車両挙動制御方法では、車両Ｖの運転者が予め設定した複数の走行モードから選択した走行モードを検出する。そして、運転者が選択した走行モードと、車体の挙動を抑制するためのフリクションに応じて、フリクション発生源の選択と制駆動力配分比の算出を行なう。さらに、算出した制駆動力配分比に応じ、制動力及び駆動力のうち少なくとも一方を車輪Ｗに付与する。
【０１９０】
（第一実施形態の効果）
本実施形態の車両挙動制御装置１であれば、以下に記載する効果を奏することが可能となる。
（１）乗り心地制御側制駆動力配分比算出部９８及び操縦安定性制御側制駆動力配分比算出部１１０が、車体の挙動を抑制するためのフリクション及び運転者が選択した走行モードに応じて、フリクション発生源を選択し、さらに、制駆動力配分比を算出する。
このため、運転者が選択した走行モードと、車体の挙動を抑制するためのフリクションに応じて、摩擦ブレーキ、駆動用モータ３０Ａ及びエンジン３０Ｂの中から、車体の挙動を抑制するためのフリクションの発生源を選択することが可能となる。
【０１９１】
その結果、車体の挙動を抑制するためのフリクションの発生源が、摩擦ブレーキ及びエンジン３０Ｂよりも応答性の高い駆動用モータ３０Ａを含む場合に、サスペンションＳＰに目標値のフリクションを発生させる制御の応答性を向上させることが可能となる。
また、運転者が選択した走行モードと、車体の挙動を抑制するためのフリクションに応じて、サスペンションＳＰに目標値のフリクションを発生させるための、摩擦ブレーキ及びエンジン３０Ｂの使用を抑制することが可能となる。これにより、車輪Ｗに付与する制動力により摩擦熱として消費されるエネルギーや、エンジン３０Ｂが消費する燃料を減少させることが可能となる。
【０１９２】
（２）乗り心地制御側制駆動力配分比算出部９８及び操縦安定性制御側制駆動力配分比算出部１１０が、運転者が選択した走行モードが燃費重視モードであると、フリクション発生源として、少なくとも駆動用モータ３０Ａを選択する。これに加え、フリクション発生源として摩擦ブレーキ及びエンジン３０Ｂのうち少なくとも一方も選択した場合に、駆動用モータ３０Ａによる駆動力の配分比を他の配分比よりも大きくして、制駆動力配分比を算出する。
【０１９３】
このため、モータフリクションによる制御を主制御とし、制動力フリクション及びエンジンフリクションのうち、選択したフリクション発生源に応じたフリクションによる制御を、モータフリクションによる制御の補助制御とすることが可能となる。
その結果、摩擦によるエネルギー消費の大きい摩擦ブレーキの使用量や、燃料を消費するエンジン３０Ｂの使用量よりも、駆動用モータ３０Ａの使用量を増加させることが可能となり、制動力及び駆動力に応じたエネルギー消費の効率を向上させることが可能となる。
【０１９４】
（３）乗り心地制御側制駆動力配分比算出部９８及び操縦安定性制御側制駆動力配分比算出部１１０が、運転者が選択した走行モードが性能重視モードであると、フリクション発生源として、少なくとも駆動用モータ３０Ａを選択する。これに加え、フリクション発生源として摩擦ブレーキ及びエンジン３０Ｂのうち少なくとも一方も選択した場合に、駆動用モータ３０Ａ以外のフリクション発生源により発生させるフリクションを、モータフリクションで補正するように、制駆動力配分比を算出する。
【０１９５】
このため、制動力フリクション及びエンジンフリクションのうち、選択したフリクション発生源に応じたフリクションによる制御を主制御とし、モータフリクションによる制御を補助制御とすることが可能となる。
その結果、制動力フリクション及びエンジンフリクションのうち、選択したフリクション発生源に応じたフリクションによる簡素な制御の不足分を、より精密な制御が可能なモータフリクションにより補正することが可能となる。これにより、運転者の要求に応じた精密な制御を行なうことが可能となる。
【０１９６】
（４）総フリクション算出部５６が、制動力フリクション算出部４８が算出した制動力フリクションと、駆動力フリクション算出部５０が算出した駆動力フリクションとを合算する。そして、サスペンションＳＰに発生する総フリクションを、各サスペンションＳＰに対して個別に算出する。
このため、横力が作用しにくい直進走行時等においても、車輪Ｗの制動力及び駆動力により、サスペンションＳＰが入力を受ける前後力に基づいて、サスペンションＳＰに発生するフリクションを適切に算出することが可能となる。
その結果、車両Ｖの走行状態に応じて適切に算出した、サスペンションＳＰに発生するフリクションを用いて、制動力指令値や駆動力指令値を算出することが可能となり、車両Ｖの走行状態に応じた挙動制御をより適切に行うことが可能となる。
【０１９７】
（５）総フリクション算出部５６が、制動力フリクション及び駆動力フリクションに、ストローク位置フリクション算出部が算出したストローク位置フリクションを合算して、総フリクションを各サスペンションＳＰに対して個別に算出する。
このため、サスペンションＳＰが入力を受ける前後力に加え、車両Ｖの走行時に変化するサスペンションＳＰのストローク位置に基づいて、総フリクションを適切に算出することが可能となる。
その結果、サスペンションＳＰのストローク位置に基づいて車両Ｖの走行状態に応じた算出精度を向上させた総フリクションを用いて、制動力指令値や駆動力指令値を算出することが可能となる。
【０１９８】
（６）総フリクション算出部５６が、制動力フリクション及び駆動力フリクションに、ストローク速度フリクション算出部が算出したストローク速度フリクションを合算して、総フリクションを各サスペンションＳＰに対して個別に算出する。
このため、サスペンションＳＰが入力を受ける前後力に加え、車両Ｖの走行時に変化するサスペンションＳＰのストローク速度に基づいて、総フリクションを適切に算出することが可能となる。
その結果、サスペンションＳＰのストローク速度に基づいて車両Ｖの走行状態に応じた算出精度を向上させた総フリクションを用いて、制動力指令値や駆動力指令値を算出することが可能となる。
【０１９９】
（７）総フリクション算出部５６が、制動力フリクション及び駆動力フリクションに、サスペンション横力フリクション算出部５４が算出した横力フリクションを合算して、総フリクションを各サスペンションＳＰに対して個別に算出する。
このため、サスペンションＳＰが入力を受ける前後力に加え、車両Ｖの旋回走行時においてサスペンションＳＰに作用する横力に基づいて、総フリクションを適切に算出することが可能となる。
その結果、サスペンションＳＰに作用する横力に基づいて車両Ｖの走行状態に応じた算出精度を向上させた総フリクションを用いて、制動力指令値や駆動力指令値を算出することが可能となる。
【０２００】
（８）制動力算出部４０が、車両Ｖの走行制御に基づく車輪Ｗの制動力を算出し、駆動力算出部４２が、車両Ｖの走行制御に基づく車輪Ｗの駆動力を算出する。
その結果、車体のロール挙動を抑制するための制御を反映しない車輪Ｗの制動力及び駆動力を算出することが可能となり、総フリクションを適切に算出することが可能となる。
【０２０１】
（９）制動力付与部が、運転者による制動力要求の制御に応じた制動力及び車両Ｖのシステム制御に応じた制動力に、制動力指令値に基づく制動力を合算して、車輪Ｗに制動力を付与する。
その結果、車体の挙動を抑制するための制御を反映しない制動力に加え、車体の挙動を抑制するための制御を反映した制動力を、車輪Ｗに付与することが可能となる。
【０２０２】
（１０）駆動力付与部が、運転者による駆動力要求の制御に応じた駆動力及び車両Ｖのシステム制御に応じた駆動力に、駆動力指令値に基づく駆動力を合算して、車輪Ｗに駆動力を付与する。
その結果、車体の挙動を抑制するための制御を反映しない駆動力に加え、車体の挙動を抑制するための制御を反映した駆動力を、車輪Ｗに付与することが可能となる。
【０２０３】
（１１）本実施形態の車両挙動制御装置１の動作で実施する車両挙動制御方法では、予め設定した複数の走行モードから、車両Ｖの運転者が選択した走行モードを検出する。そして、運転者が選択した走行モードと、車体の挙動を抑制するためのフリクションに応じて、フリクション発生源の選択と制駆動力配分比の算出を行なう。さらに、算出した制駆動力配分比に応じて、制動力及び駆動力のうち少なくとも一方を車輪Ｗに付与する。
このため、運転者が選択した走行モードと、車体の挙動を抑制するためのフリクションに応じて、摩擦ブレーキ、駆動用モータ３０Ａ及びエンジン３０Ｂの中から、車体の挙動を抑制するためのフリクションの発生源を選択することが可能となる。
【０２０４】
その結果、車体の挙動を抑制するためのフリクションの発生源が、摩擦ブレーキ及びエンジン３０Ｂよりも応答性の高い駆動用モータ３０Ａを含む場合に、サスペンションＳＰに目標値のフリクションを発生させる制御の応答性を向上させることが可能となる。
また、運転者が選択した走行モードと、車体の挙動を抑制するためのフリクションに応じて、サスペンションＳＰに目標値のフリクションを発生させるための、摩擦ブレーキ及びエンジン３０Ｂの使用を抑制することが可能となる。これにより、車輪Ｗに付与する制動力により摩擦熱として消費されるエネルギーや、エンジン３０Ｂが消費する燃料を減少させることが可能となる。
【０２０５】
（変形例）
（１）本実施形態では、制動力フリクション、駆動力フリクション、ストローク位置フリクション、ストローク速度フリクション、横力フリクションを合算して、総フリクションを算出したが、これに限定するものではない。すなわち、少なくとも、制動力フリクション及び駆動力フリクションに基づいて、総フリクションを算出すればよい。
【符号の説明】
【０２０６】
１    車両挙動制御装置
１７  走行モード選択スイッチ
２０  制駆動力コントローラ
２４  マスタシリンダ
２６  ブレーキアクチュエータ
２８  動力コントロールユニット
３０  動力ユニット
３０Ａ  駆動用モータ
３０Ｂ  エンジン
３２  ホイールシリンダ
３４  フリクション検出ブロック
３６  乗り心地制御ブロック
３８  操縦安定性制御ブロック
４０  制動力算出部
４２  駆動力算出部
４４  サスペンション状態算出部
４６  サスペンション横力算出部
４８  制動力フリクション算出部
５０  駆動力フリクション算出部
５２  サスペンション状態フリクション算出部
５４  横力フリクション算出部
５６  総フリクション算出部
９４  乗り心地制御側車両挙動算出部
９６  乗り心地制御側目標フリクション算出部
９８  乗り心地制御側制駆動力配分比算出部
１００Ａ  乗り心地制御ブロック３６が備える制動力指令値算出部
１００Ｂ  操縦安定性制御ブロック３８が備える制動力指令値算出部
１０１Ａ  乗り心地制御ブロック３６が備えるモータ側駆動力指令値算出部
１０１Ｂ  操縦安定性制御ブロック３８が備えるモータ側駆動力指令値算出部
１０２Ａ  乗り心地制御ブロック３６が備えるエンジン側駆動力指令値算出部
１０２Ｂ  操縦安定性制御ブロック３８が備えるエンジン側駆動力指令値算出部
１０６  操縦安定性制御側車両挙動算出部
１０８  操縦安定性制御側目標フリクション算出部
１１０  操縦安定性制御側制駆動力配分比算出部
１１２  挙動抑制フリクション算出部
Ｖ    車両
Ｗ    車輪
ＳＰ  サスペンション
【図１】
2014227046.tif 000003
【図２】
2014227046.tif 000004
【図３】
2014227046.tif 000005
【図４】
2014227046.tif 000006
【図５】
2014227046.tif 000007
【図６】
2014227046.tif 000008
【図７】
2014227046.tif 000009
【図８】
2014227046.tif 000010
【図９】
2014227046.tif 000011
【図１０】
2014227046.tif 000012
【図１１】
2014227046.tif 000013
【図１２】
2014227046.tif 000014
【図１３】
2014227046.tif 000015
【図１４】
2014227046.tif 000016
【図１５】
2014227046.tif 000017
【図１６】
2014227046.tif 000018
【図１７】
2014227046.tif 000019
【図１８】
2014227046.tif 000020
【図１９】
2014227046.tif 000021
【図２０】
2014227046.tif 000022
【図２１】
2014227046.tif 000023
【図２２】
2014227046.tif 000024
【図２３】
2014227046.tif 000025